(57)【要約】【課題】よりサービス性を向上させ、或いはセキュリティ性能を向上させた態様で、店舗内に設置された遊技機毎に、コイン（硬貨）やメダル等の投入に基づく売上情報及び当該コインやメダル、或いは景品等の払出しに基づく払出情報を収集するデータ収集装置を提供する。【解決手段】本発明のデータ収集装置５は、データ集計装置１から、複数の中継機３により複数の通信路を構成するマルチホップ通信を経て、各遊技機１００‐Ｎの売上情報及び払出情報を収集する装置として構成され、管理下にある指定の遊技機における課金又は払出しの変化に関する予め指定された監視要素について監視し、該監視要素が成立した際に該監視要素に対応する指示を自動生成する課金・払出変化監視部６１、及び、自動生成した当該監視要素に対応する指示を予め指定される出力先に自動発信する外部出力制御部６２を備える。【選択図】図２
2019122445.tif 000002
【特許請求の範囲】
【請求項１】
遊技機の筐体内に設置して該遊戯機における売上情報及び払出情報を集計する本体ユニット、及び該遊技機の筐体外に設置して前記本体ユニットに対し電気的に接続し当該集計した売上情報及び払出情報を外部に通信出力する通信ユニットを備えるデータ集計装置から、複数の中継機により複数の通信路を構成するマルチホップ通信を経て、各遊技機の売上情報及び払出情報を収集するデータ収集装置であって、
管理下にある指定の遊技機における課金又は払出しの変化に関する予め指定された監視要素について監視し、該監視要素が成立した際に該監視要素に対応する指示を自動生成する課金・払出変化監視手段と、
前記自動生成した当該監視要素に対応する指示を予め指定される出力先に自動発信する外部出力制御手段と、
を備えることを特徴とするデータ収集装置。
【請求項２】
前記課金・払出変化監視手段は、時刻及び曜日を含む管理スケジュールについて指定して設定可能に構成されていることを特徴とする、請求項１に記載のデータ収集装置。
【請求項３】
前記課金・払出変化監視手段は、複数の当該監視要素について優先順位を指定して選択的に設定可能に構成されていることを特徴とする、請求項１又は２に記載のデータ収集装置。
【請求項４】
前記出力先は、前記マルチホップ通信を経て通信接続される店舗従業員が持つ店舗用移動端末、店舗従業員が持つ業務用構内電話、店舗内に設置される報知器、及び当該データ収集装置に付随して設置されるディスプレイのうち、いずれか１つ以上を指定して設定可能に構成されていることを特徴とする、請求項１から３のいずれか一項に記載のデータ収集装置。
【請求項５】
前記外部出力制御手段は、前記出力先として指定されるブザーで構成する前記報知器に対してブザー音の可変発音により前記自動生成した当該監視要素に対応する指示を区別して出力するよう制御し、前記出力先として指定される報知ランプで構成する前記報知器に対して当該報知ランプの可変点灯により前記自動生成した当該監視要素に対応する指示を区別して出力するよう制御し、前記出力先として指定される前記店舗用移動端末、前記業務用構内電話、又は前記ディスプレイに対し当該監視要素に対応するメッセージを区別して出力するよう制御することを特徴とする、請求項４に記載のデータ収集装置。
【請求項６】
前記課金・払出変化監視手段は、前記監視要素として指定の遊技機における景品の配置数に対しその景品の払出数が規定値以下に変化したかを監視する機能を有することを特徴とする、請求項１から５のいずれか一項に記載のデータ収集装置。
【請求項７】
前記課金・払出変化監視手段は、前記監視要素として指定の遊技機における景品の配置数に対しその景品の払出率が規定値以下に変化したかを監視する機能を有することを特徴とする、請求項１から６のいずれか一項に記載のデータ収集装置。
【請求項８】
前記課金・払出変化監視手段は、前記監視要素として指定の遊技機における景品の払出し間の時間、投入金額、及び景品数が変化したかを監視する機能を有することを特徴とする、請求項１から７のいずれか一項に記載のデータ収集装置。
【請求項９】
前記課金・払出変化監視手段は、前記監視要素として指定の遊技機における景品の払出しは発生せず、規定時間内に規定金額以上課金が有ったかを監視する機能を有することを特徴とする、請求項１から８のいずれか一項に記載のデータ収集装置。
【請求項１０】
前記課金・払出変化監視手段は、前記監視要素として指定の遊技機にて規定課金以上で景品を再配置する遊技機の課金に変化したかを監視する機能を有することを特徴とする、請求項１から９のいずれか一項に記載のデータ収集装置。
【請求項１１】
前記課金・払出変化監視手段は、前記監視要素として指定の遊技機にて規定時間以上、景品の払出し無しであるかを監視する機能を有することを特徴とする、請求項１から１０のいずれか一項に記載のデータ収集装置。
【請求項１２】
前記課金・払出変化監視手段は、前記監視要素として指定の遊技機にて規定時間内に、規定金額の課金が発生しなかったかを監視する機能を有することを特徴とする、請求項１から１１のいずれか一項に記載のデータ収集装置。
【請求項１３】
前記課金・払出変化監視手段は、前記監視要素として指定の遊技機について規定時刻における景品の払出数、売上金額、及び直近の課金時刻を予め指定される出力先に通知する機能を有することを特徴とする、請求項１から１２のいずれか一項に記載のデータ収集装置。
【請求項１４】
前記課金・払出変化監視手段は、前記監視要素として管理下にある全ての遊技機を対象とし特定時間毎の売上金額と達成率を予め指定される出力先に通知する機能を有することを特徴とする、請求項１から１３のいずれか一項に記載のデータ収集装置。
【請求項１５】
前記課金・払出変化監視手段は、前記監視要素として管理下にある全ての遊技機を対象とし課金異常があった旨を予め指定される出力先に通知する機能を有することを特徴とする、請求項１から１４のいずれか一項に記載のデータ収集装置。
【請求項１６】
前記課金・払出変化監視手段は、前記監視要素として管理下にある全ての遊技機を対象とし払出異常があった旨を予め指定される出力先に通知する機能を有することを特徴とする、請求項１から１５のいずれか一項に記載のデータ収集装置。
【請求項１７】
前記課金・払出変化監視手段は、前記監視要素として管理下にある全ての遊技機を対象とし動作異常があった旨を予め指定される出力先に通知する機能を有することを特徴とする、請求項１から１６のいずれか一項に記載のデータ収集装置。
【発明の詳細な説明】
【技術分野】
【０００１】
本発明は、店舗内に設置された遊技機毎に、コイン（硬貨）やメダル等の投入に基づく売上情報及び当該コインやメダル、或いは景品等の払出しに基づく払出情報を収集するデータ収集装置に関する。
【背景技術】
【０００２】
一般的に、ゲームセンターや遊園地などのアミューズメント施設には、コイン（硬貨）やメダルを投入してゲームを行う遊技機が設置されている。そして、このような遊技機には、当該コインやメダル、或いは景品等の払出しを行うものもある。
【０００３】
このため、このような遊戯機が設けられているアミューズメント施設を運営する運営者は、店舗内に設置された遊技機毎に、コイン（硬貨）やメダル等の投入に基づく売上情報及び当該コインやメダル、或いは景品等の払出しに基づく払出情報を集計する必要がある。
【０００４】
そこで、既存の遊技機に関するデータ収集システムでは、コイン（硬貨）やメダルに関する売上情報及び払出情報の収集するために、店舗内の遊技機毎に、売上情報及び払出情報を集計するデータ集計装置を設けることが行われている。
【０００５】
既存のデータ集計装置では、その筐体部分に通信アンテナを一体的に設けて構成しており、各データ集計装置の売上情報及び払出情報を収集するデータ収集装置は、１対１の通信を行うメッシュ通信方式が取られており、このため電波強度が安定しない等の理由でリアルタイム性に問題があった。
【０００６】
そこで、各遊技機の売上情報及び払出情報をデータ集計装置で集計し、マルチホップ通信でデータ収集装置へ伝送し、データ収集装置により売上情報及び払出情報を収集する技法が知られている（例えば、特許文献１参照）。
【０００７】
特許文献１の技法では、各遊技機の売上情報及び払出情報をデータ集計装置で集計し、マルチホップ通信でデータ収集装置へ伝送し、データ収集装置により売上情報及び払出情報を収集するようにしている。
【０００８】
これにより、各遊技機が当該店舗における様々な箇所に設置され、さらには、メダル貸出機や自動販売機等の障害物が多数存在し、上記障害物によって通信を妨害され、遊技機毎の遊技媒体のデータ収集ができない場合でも、その障害物による通信妨害を低減可能としている。
【０００９】
しかしながら、特許文献１の技法におけるデータ集計装置においても、その筐体部分に通信アンテナを一体的に設けて構成するものであり、この技法では、遊技機の筐体が金属製のものが多く電波が遮蔽されてしまうことから、電波による通信を行うデータ集計装置を遊技機の筐体内へ設置しようとしても、当該電波が遊技機の筐体の外部へ出ないか、又は出にくいことがある。このため、特許文献１に開示されるマルチホップ通信でデータ通信を行う技法においても、当該データ集計装置を遊技機内へ設置するときの設置場所が制限されてしまい、場合によっては設置できないことがある。
【００１０】
そこで、このようなデータ集計装置について、本体ユニットと通信ユニットとに分けて構成し、本体ユニットは遊技機の筐体内に設置して該遊戯機における売上情報及び払出情報を集計し、通信ユニットは遊技機の筐体外に設置して当該本体ユニットに対し電気的に接続し、当該集計した売上情報及び払出情報を店舗内の所定の通信機器へ無線通信により送信するようにしたデータ収集システムが開示されている（例えば、特許文献２参照）。
【００１１】
このように、特許文献２におけるデータ集計装置では、その通信ユニットを遊技機の筐体の外に出すようにしたため、電波遮蔽の回避を抑制でき、データ集計装置とデータ収集装置との通信は、複数の中継機により複数の通信路を構成するマルチホップ通信により実現されるため、電波状態の悪化などにより、一時的に無線通信ができなくなる場合でも、通信経路を確保でき、これによって電波強度が安定し、１台のデータ収集装置と複数台のデータ集計装置との通信におけるリアルタイム性が向上する。例えば、特定の遊技機の景品払出し時に、店舗用移動端末を持つ店舗従業員に対し景品の払出しがあったことを直ちに知らせることができる。
【００１２】
特に、特許文献２におけるデータ集計装置では、当該本体ユニットに設けられる全ての回路の動作周波数が、通信ユニット１ｂにおける無線通信のための高周波回路の動作周波数より低いものとした。これにより、当該本体ユニットの配線やその接続に用いるコネクタには汎用品を使用することが可能となり、より廉価に構成することが可能としている。
【００１３】
また、特許文献２における技法では、データ集計装置や中継機、或いはデータ収集装置について電池式電源により電源供給できるものとし、電源供給の断絶リスクを低減させることや、データ集計装置における接続状態の自己監視を経て、当該接続の解除を検知した際にデータ収集装置や店舗用移動端末へ無線通信により自動送信する機能を有するものとし、当該リアルタイム性の向上を生かし、セキュリティ性能を向上させたものとなっている。
【先行技術文献】
【特許文献】
【００１４】
【特許文献１】特許第５２０２７４４号公報
【特許文献２】特開２０１７−１９６０２３号公報
【発明の概要】
【発明が解決しようとする課題】
【００１５】
上述したように、特許文献２の技法によれば、データ収集装置は、各遊技機の売上情報及び払出情報を集計するデータ集計装置から、設置場所が制限されず低廉化が可能となる態様で、安定して電波障害の影響を低減させるマルチホップ通信で売上情報及び払出情報を収集するため、リアルタイム性が向上し、データ集計装置により自己監視に基づいてセキュリティ性能を向上させたものとなっている。
【００１６】
一方で、このようなデータ収集装置による安定性及びリアルタイム性を向上させた売上情報及び払出情報の収集性能を更に生かして、よりサービス性を向上させ、或いはセキュリティ性能を向上させる技法が望まれる。
【００１７】
本発明の目的は、上述の問題に鑑みて、よりサービス性を向上させ、或いはセキュリティ性能を向上させた態様で、店舗内に設置された遊技機毎に、コイン（硬貨）やメダル等の投入に基づく売上情報及び当該コインやメダル、或いは景品等の払出しに基づく払出情報を収集するデータ収集装置を提供することにある。
【課題を解決するための手段】
【００１８】
本発明のデータ収集装置は、遊技機の筐体内に設置して該遊戯機における売上情報及び払出情報を集計する本体ユニット、及び該遊技機の筐体外に設置して前記本体ユニットに対し電気的に接続し当該集計した売上情報及び払出情報を外部に通信出力する通信ユニットを備えるデータ集計装置から、複数の中継機により複数の通信路を構成するマルチホップ通信を経て、各遊技機の売上情報及び払出情報を収集するデータ収集装置であって、管理下にある指定の遊技機における課金又は払出しの変化に関する予め指定された監視要素について監視し、該監視要素が成立した際に該監視要素に対応する指示を自動生成する課金・払出変化監視手段と、前記自動生成した当該監視要素に対応する指示を予め指定される出力先に自動発信する外部出力制御手段と、を備えることを特徴とする。
【００１９】
また、本発明のデータ収集装置において、前記課金・払出変化監視手段は、時刻及び曜日を含む管理スケジュールについて指定して設定可能に構成されていることを特徴とする。
【００２０】
また、本発明のデータ収集装置において、前記課金・払出変化監視手段は、複数の当該監視要素について優先順位を指定して選択的に設定可能に構成されていることを特徴とする。
【００２１】
また、本発明のデータ収集装置において、前記出力先は、前記マルチホップ通信を経て通信接続される店舗従業員が持つ店舗用移動端末、店舗従業員が持つ業務用構内電話、店舗内に設置される報知器、及び当該データ収集装置に付随して設置されるディスプレイのうち、いずれか１つ以上を指定して設定可能に構成されていることを特徴とする。
【００２２】
また、本発明のデータ収集装置において、前記外部出力制御手段は、前記出力先として指定されるブザーで構成する前記報知器に対してブザー音の可変発音により前記自動生成した当該監視要素に対応する指示を区別して出力するよう制御し、前記出力先として指定される報知ランプで構成する前記報知器に対して当該報知ランプの可変点灯により前記自動生成した当該監視要素に対応する指示を区別して出力するよう制御し、前記出力先として指定される前記店舗用移動端末、前記業務用構内電話、又は前記ディスプレイに対し当該監視要素に対応するメッセージを区別して出力するよう制御することを特徴とする。
【００２３】
また、本発明のデータ収集装置において、前記課金・払出変化監視手段は、前記監視要素として指定の遊技機における景品の配置数に対しその景品の払出数が規定値以下に変化したかを監視する機能を有することを特徴とする。
【００２４】
また、本発明のデータ収集装置において、前記課金・払出変化監視手段は、前記監視要素として指定の遊技機における景品の配置数に対しその景品の払出率が規定値以下に変化したかを監視する機能を有することを特徴とする。
【００２５】
また、本発明のデータ収集装置において、前記課金・払出変化監視手段は、前記監視要素として指定の遊技機における景品の払出し間の時間、投入金額、及び景品数が変化したかを監視する機能を有することを特徴とする。
【００２６】
また、本発明のデータ収集装置において、前記課金・払出変化監視手段は、前記監視要素として指定の遊技機における景品の払出しは発生せず、規定時間内に規定金額以上課金が有ったかを監視する機能を有することを特徴とする。
【００２７】
また、本発明のデータ収集装置において、前記課金・払出変化監視手段は、前記監視要素として指定の遊技機にて規定課金以上で景品を再配置する遊技機の課金に変化したかを監視する機能を有することを特徴とする。
【００２８】
また、本発明のデータ収集装置において、前記課金・払出変化監視手段は、前記監視要素として指定の遊技機にて規定時間以上、景品の払出し無しであるかを監視する機能を有することを特徴とする。
【００２９】
また、本発明のデータ収集装置において、前記課金・払出変化監視手段は、前記監視要素として指定の遊技機にて規定時間内に、規定金額の課金が発生しなかったかを監視する機能を有することを特徴とする。
【００３０】
また、本発明のデータ収集装置において、前記課金・払出変化監視手段は、前記監視要素として指定の遊技機について規定時刻における景品の払出数、売上金額、及び直近の課金時刻を予め指定される出力先に通知する機能を有することを特徴とする。
【００３１】
また、本発明のデータ収集装置において、前記課金・払出変化監視手段は、前記監視要素として管理下にある全ての遊技機を対象とし特定時間毎の売上金額と達成率を予め指定される出力先に通知する機能を有することを特徴とする。
【００３２】
また、本発明のデータ収集装置において、前記課金・払出変化監視手段は、前記監視要素として管理下にある全ての遊技機を対象とし課金異常があった旨を予め指定される出力先に通知する機能を有することを特徴とする。
【００３３】
また、本発明のデータ収集装置において、前記課金・払出変化監視手段は、前記監視要素として管理下にある全ての遊技機を対象とし払出異常があった旨を予め指定される出力先に通知する機能を有することを特徴とする。
【００３４】
また、本発明のデータ収集装置において、前記課金・払出変化監視手段は、前記監視要素として管理下にある全ての遊技機を対象とし動作異常があった旨を予め指定される出力先に通知する機能を有することを特徴とする。
【発明の効果】
【００３５】
本発明によれば、店舗内に設置された遊技機毎に、コイン（硬貨）やメダル等の投入に基づく売上情報及び当該コインやメダル、或いは景品等の払出しに基づく払出情報を収集する際に、予め指定された監視要素に基づいて指定する出力先に対しリアルタイムに自動発信できるので、よりサービス性を向上させ、或いはセキュリティ性能を向上させることができる。
【図面の簡単な説明】
【００３６】
【図１】本発明による一実施形態のデータ収集システムの概略構成を示す図である。
【図２】本発明による一実施形態のデータ収集システムにおけるデータ収集装置の概略構成を示すブロック図である。
【図３】本発明による一実施形態のデータ収集システムにおけるデータ収集装置のディスプレイに提示される課金・払出変化監視用設定ユーザーインターフェース（ＵＩ）の一例を示す図である。
【図４】本発明による一実施形態のデータ収集システムの動作例を示すフローチャートである。
【発明を実施するための形態】
【００３７】
以下、図面を参照して、本発明による一実施形態のデータ収集装置５、及びデータ収集システム１０について説明する。
【００３８】
（データ収集システム）
図１は、本発明による一実施形態のデータ収集システム１０の概略構成を示す図である。データ収集システム１０は、１台以上の遊技機１００‐Ｎ（Ｎは１以上の整数）の各々に対し設置されるデータ集計装置１と、１台以上の中継機３と、１台のデータ収集装置５とを備える。図１に示す例では、遊技機１００‐Ｎが設置される店舗内に、データ集計装置１及び中継機３が配設され、データ収集装置５は店舗外へ設置する例を示しているが、データ収集装置５を当該店舗内へ設置することもできる。また、当該ネットワーク７上で、専用のサーバー（図示せず）を設置し、この専用のサーバーから店舗内又は店舗外に設置されるデータ収集装置５と無線又は有線で通信接続する形態とすることもできる。
【００３９】
データ集計装置１は、１台の遊技機１００‐Ｎに少なくとも１つ設置され、設置した遊技機１００‐Ｎにおけるコイン（硬貨）やメダル等の投入に基づく売上情報及び当該コインやメダル、或いは景品等の払出しに基づく払出情報を集計し電波でデータ通信を行う装置である。このようなデータ集計装置１は、既存のゲーム機では、遊技機１００‐Ｎにおける硬貨やコインの投入口、遊技機１００‐Ｎの基板、当該払出しを検知するセンサー近傍、或いは遊技機１００‐Ｎが持つ集計用の電磁カウンタ近傍等に設置可能である。データ集計装置１は、中継機３と無線で相互通信可能であり（図示ａ１の通信経路）、更には店舗従業員が管理するスマートホンやタブレットなどの店舗用移動端末２と無線で相互通信可能である（図示ｂ４の通信経路）。また、本実施形態におけるデータ集計装置１は、遊技機１００‐Ｎの遊戯に関するサービス情報を告知するため、利用者が管理するスマートホンやタブレットなどのユーザ用移動端末４と無線で相互通信可能となっている（図示ｃ１の通信経路）。そして、データ集計装置１には、固有ＩＤ番号が割り当てられ、データ収集装置５によって管理することができる。
【００４０】
中継機３は、データ集計装置１が集計した当該売上情報及び払出情報をデータ収集装置５や店舗用移動端末２へ転送するための装置である。中継機３は、複数台の中継機３が設置されるとは、それぞれ他の中継機３とマルチホップ通信可能に構成される（図示ａ２の通信経路）。また、中継機３は、当該売上情報及び払出情報をデータ収集装置５へ伝送するために、データ収集装置５が店舗内にあるときなどでは、直接的にデータ収集装置５と無線で相互通信可能となっており（図示ａ３の通信経路）、或いは、電話網（携帯電話網を含む）などのネットワーク７を経て、間接的にデータ収集装置５と無線で相互通信可能となっている（図示ｂ１，ｂ２の通信経路）。また、中継機３は、当該売上情報及び払出情報を店舗用移動端末２へ伝送する場合にも、直接的に又は間接的に、店舗用移動端末２と無線で相互通信可能となっている（図示ａ４，或いはｂ２，ｂ３の通信経路）。
【００４１】
データ収集装置５は、遊技機毎にデータ集計装置１によって集計した売上情報及び払出情報を収集する装置である。データ収集装置５は、図１に示す例では店舗外へ設置する例を示しているが、データ収集装置５を当該店舗内へ設置することもできる。データ収集装置５は、上述したように、直接的に又は間接的に、中継機３と無線で相互通信可能となっており、更には、ネットワーク７を経て、店舗用移動端末２と有線又は無線で相互通信可能となっている（図示ｂ１，ｂ３の通信経路）。そして、データ集計装置１には固有ＩＤ番号が割り当てられているため、データ収集装置５は、遊技機１００‐Ｎに設置されているデータ集計装置１を識別して、遊技機毎の売上情報及び払出情報の集計データを収集し、管理することができる。
【００４２】
このように、本実施形態のデータ収集システム１０は、１台以上の遊技機１００‐Ｎの各々に対し設置されるデータ集計装置１により集計した各遊技機１００‐Ｎの売上情報及び払出情報を、マルチホップ通信機能を有する中継機３を経て、データ収集装置５により集計するとともに、各データ集計装置１が集計した売上情報及び払出情報を店舗用移動端末２により受信可能とし、より好適にはデータ収集装置５の制御下で、各データ集計装置１が所定のサービス情報をユーザ用移動端末４へ告知可能となっている。
【００４３】
以下、より具体的に、データ集計装置１、中継機３、及びデータ収集装置５の構成について順に説明する。
【００４４】
データ集計装置１は、特許文献２に開示されるものと同様に構成され、その詳細な説明は割愛するが、本体ユニットと通信ユニットとに分けて構成し、本体ユニットは遊技機の筐体内に設置して該遊戯機における売上情報及び払出情報を集計し、通信ユニットは遊技機の筐体外に設置して当該本体ユニットに対し電気的に接続し、当該集計した売上情報及び払出情報を店舗内の所定の通信機器へ無線通信により送信するようにしている。
【００４５】
また、中継機３についても、許文献２に開示されるものと同様に構成され、その詳細な説明は割愛するが、データ集計装置１とデータ収集装置５との通信は、複数の中継機３により複数の通信路を構成するマルチホップ通信により実現されるため、電波状態の悪化などにより、一時的に無線通信ができなくなる場合でも、通信経路を確保でき、これによって電波強度が安定し、１台のデータ収集装置と複数台のデータ集計装置との通信におけるリアルタイム性が向上するものとなっている。
【００４６】
一方、データ収集装置５は、特許文献２の技法における安定性及びリアルタイム性を向上させた売上情報及び払出情報の収集性能を更に生かして、よりサービス性を向上させ、或いはセキュリティ性能を向上させるために、本実施形態の例では、図１に示すように、業務用構内電話５ａ（一般に、「インカム」と称される。）、報知器制御装置５ｂ、及びディスプレイ５ｃが外部機器として付随して設け、これらを制御する点で、特許文献２の技法とは相違している。
【００４７】
業務用構内電話５ａは、１以上の店舗従業員がそれぞれ持つ業務用構内電話２ａと相互通信接続され、データ収集装置５により（図２を参照して後述する課金・払出変化監視部６１及び外部出力制御部６２の機能により）制御され、データ収集装置５によって予め監視している内容に基づいて、業務用構内電話２ａに対し自動発信するようになっている。
【００４８】
報知器制御装置５ｂは、データ収集装置５により（図２を参照して後述する課金・払出変化監視部６１及び外部出力制御部６２の機能により）制御され、データ収集装置５によって予め監視している内容に基づいて、店舗内の適所に配置される１以上の報知器２ｂに対し自動発信するようになっている。報知器２ｂはブザーや報知用ランプにより構成される。
【００４９】
データ収集装置５は汎用のパーソナルコンピュータを用いて構成することができ、ディスプレイ５ｃは、データ収集装置５による売上情報及び払出情報の収集データを表示するための装置であるが、特に本例では、図２を参照して後述する課金・払出変化監視部６１及び外部出力制御部６２の機能の設定に関し図３に例示する課金・払出変化監視用設定ユーザーインターフェース（ＵＩ）が提示されるものとなっている。
【００５０】
以下、より具体的に、図２及び図３を参照して、データ収集装置５の構成と機能について説明する。
【００５１】
（データ収集装置）
図２は、本発明による一実施形態のデータ収集システム１０におけるデータ収集装置５の概略構成を示すブロック図である。データ収集装置５は、中央制御部５１、通信制御部５２、回線網通信部５３、近距離通信部５４、集計データ収集部５５、サービス設定部５６、記憶部５７、外部メディア記録部５８、外部供給電源５９、電池式電源６０、課金・払出変化監視部６１、及び外部出力制御部６２を備える。ここで、特許文献２の技法と比較して、データ収集装置５は、課金・払出変化監視部６１、及び外部出力制御部６２を更に備える点で相違している。
【００５２】
中央制御部５１は、中央演算処理ユニット（ＣＰＵ）で構成することができ、記憶部５７の所定の格納領域に格納されているプログラムを読み出して実行することで、データ収集装置５における各機能部を機能させる。
【００５３】
通信制御部５２は、中央制御部５１の制御下で、図示しない操作部から操作者の指示を受け付けるか、或いは定期的な自動制御で、回線網通信部５３によりネットワーク７を経て中継機３経由で、或いは近距離通信部５４により中継機３経由で通信を確立し、全てのデータ集計装置１或いは指定するデータ集計装置１に対し、売上情報及び払出情報の集計データに関する集計データ収集要求を発行し、当該データ集計装置１からの応答を待機する。
【００５４】
また、通信制御部５２は、中央制御部５１の制御下で、当該データ集計装置１からの応答を経て、当該集計データ収集要求に対応する売上情報及び払出情報の集計データを取得した際には、当該通信を確立した状態で回線網通信部５３或いは近距離通信部５４を制御して、売上情報及び払出情報の集計データを取得し、集計データ収集部５５を機能させる。集計データ収集部５５は、取得した売上情報及び払出情報の集計データを収集し、所定のフォーマットの収集記録データを生成し、記憶部５７の所定の格納領域へ格納する。
【００５５】
また、通信制御部５２は、中央制御部５１の制御下で、回線網通信部５３によりネットワーク７を経て、或いは近距離通信部５４により直接的に、店舗用移動端末２から収集した売上情報及び払出情報の集計データに関する取得要求を受け付けた際には、集計データ収集部５５を機能させ、記憶部５７からこの取得要求時点で収集されている売上情報及び払出情報の集計データを読み出させ、当該通信を確立した状態で回線網通信部３３或いは近距離通信部５４を制御して、店舗用移動端末２へ返信する。
【００５６】
回線網通信部５３は、図示しないアンテナ又は通信インターフェースを介して回線網通信を行うための変調器や検波器、フィルタや増幅器等の高周波回路で構成され、通信制御部５２によって制御される。
【００５７】
近距離通信部５４は、図示しないアンテナを介して近距離通信を行うための変調器や検波器、フィルタや増幅器等の高周波回路で構成され、通信制御部５２によって制御される。
【００５８】
集計データ収集部５５は、中央制御部５１の制御下で、通信制御部５２の制御により当該集計データ収集要求を経て取得した売上情報及び払出情報の集計データを収集し、所定のフォーマットの収集記録データを生成し、記憶部５７の所定の格納領域へ格納する。また、集計データ収集部５５は、当該収集した売上情報及び払出情報の集計データに関する取得要求に対する返信として、記憶部５７からこの取得要求時点で収集されている売上情報及び払出情報の集計データを読み出し、通信制御部５２の制御により返信する。
【００５９】
サービス設定部５６は、中央制御部５１の制御下で、図示しない操作部から操作者の指示を受け付け、対応するデータ集計装置１に対し、所定のサービス情報を設定するよう指示するサービス設定処理を実行し、通信制御部５２の制御により対応するデータ集計装置１に通知する。
【００６０】
サービス設定部５６は、遊技機の利用者が管理するスマートホンやタブレットなどのユーザ用移動端末４に対し、データ集計装置１から通知する。従って、このサービス情報は、データ収集装置５によって遊技機毎に管理及び設定することができ、このようなサービス情報の例として、当該ユーザ用移動端末４に対し、例えば当該遊技機にて１回分無料の遊戯を提供するなどとすることができる。このようなサービスの提供に際し、サービス告知処理部１８は、中央制御部１１の制御下で、当該ユーザ用移動端末４に対する認証及び検証の処理を実行する。尚、当該ユーザ用移動端末４は、当該サービス情報の受け付けを許容するアプリケーションが実装されているものとする。
【００６１】
外部メディア記録部５８は、中央制御部５１の制御下で、当該通信日時の情報や収集した売上情報及び払出情報の集計データについてＳＤカードなどの外部メディアに記録する。外部メディアは取り出せる構造になっている。これによりデータ収集装置５の故障などに備え、蓄積したデータを他のパーソナルコンピュータなどに移行することが可能となる。
【００６２】
外部供給電源５９は、外部のＡＣ電源を直流源に変換しデータ収集装置５の機能部へ電源供給する。
【００６３】
電池式電源６０は、外部供給電源５９の補助電源として機能し、外部供給電源５９による電源供給が遮断された時に、一定時間電源を供給する。これにより、電池式として、電源供給の断絶リスクを低減することが可能となる。
【００６４】
ところで、図２に示すように、データ収集装置５は、従来技法とは異なり、課金・払出変化監視部６１、及び外部出力制御部６２を更に備えている。
【００６５】
課金・払出変化監視部６１は、よりサービス性を向上させ、或いはセキュリティ性能を向上させるために、管理下にある遊技機１００‐Ｎにて課金又は払出しの変化に関する予め指定された監視要素が成立した際に、外部出力制御部６２を機能させ、該監視要素に対応する指示を自動生成し、予め指定される出力先に自動発信する機能部である。
【００６６】
外部出力制御部６２は、予め指定される出力先に対し、課金・払出変化監視部６１によって自動生成される指示を自動発信する機能部である。ここで、本実施形態における出力先として、ディスプレイ５ｃ、業務用構内電話５ａ経由の業務用構内電話２ａ、及び報知器制御装置５ｂ経由の報知器２ｂのいずれかの外部機器と、店舗用移動端末２を含めることができる。
【００６７】
課金・払出変化監視部６１における各監視要素、出力先の指定、各監視要素の優先順位や監視スケジュール、及び各監視要素の監視条件等の設定は、ディスプレイ５ｃに提示される図３に例示する課金・払出変化監視用設定ユーザーインターフェース（ＵＩ）５００を介して、データ収集装置５の利用者（管理者）によって設定可能となっている。
【００６８】
（課金・払出変化監視機能と、その設定ＵＩ）
図３は、本発明による一実施形態のデータ収集システム１０におけるデータ収集装置５のディスプレイ５ｃに提示される課金・払出変化監視用設定ＵＩ ５００の一例を示す図である。
【００６９】
図３に例示する課金・払出変化監視用設定ＵＩ ５００は、大別して、監視スケジュール設定５０１、出力先設定５０２、及び監視要素選択設定５０３が可能となっている。
【００７０】
監視スケジュール設定５０１は、課金・払出変化監視部６１が、監視要素選択設定５０３における指定された各監視要素についての監視スケジュールを設定するＵＩであり、“２４時間、常に監視”するか、“時刻指定で監視”するか、“曜日指定で監視”するかをチェックボックス“□”を“レ”でチェックすることで指定できる。また、時刻指定については“□”内に時刻を示す数値を記述することで指定でき、曜日指定については“〇”を“・”でチェックすることで指定できる。図３に示す例では、課金・払出変化監視部６１が、監視要素選択設定５０３における指定された各監視要素について、“１０”時から“１８”時までの“時刻指定で監視”、且つ“月・火・木”の“曜日指定で監視”するよう設定する例を示している。尚、監視スケジュール設定５０１は、カレンダーを提示したタイムスケジュールとした表示形態でもよい。
【００７１】
出力先設定５０２は、課金・払出変化監視部６１が、監視要素選択設定５０３における指定された各監視要素について、その指定された監視要素が成立した際に、外部出力制御部６２を機能させ、該監視要素に対応する指示を自動生成した際に自動発信する出力先を選択的に指定して設定するＵＩである。本実施形態では、店舗用移動端末２、業務用構内電話２ａ、報知器２ｂ、ディスプレイ２ｃのうち１以上の出力先を指定設定できる。また、店舗用移動端末２、業務用構内電話２ａ、及び報知器２ｂの各々については、それぞれに固有に割り当てられたチャンネル（ｃｈ）について、“□”内にチャンネル番号を示す数値を記述することで指定できる。図３に示す例では、ｃｈ“１，２−５、１０”を持つ店舗用移動端末２、ｃｈ“３−８”を持つ業務用構内電話２ａ、及びｃｈ“４，６”を持つ報知器２ｂを出力先として設定した例を示している。
【００７２】
監視要素選択設定５０３は、課金・払出変化監視部６１によって監視する課金又は払出しの変化に関する監視要素について、優先順位を設けて選択的に指定設定するＵＩである。本実施形態では、監視要素ごとに区分けしてＵＩが示され、各監視要素の先頭の“□”内に優先順位番号を示す数値を記述することで選択指定できる。また、各監視要素の内容に応じて、監視条件を設定できる。図３に示す例では、課金・払出変化監視部６１が、優先順位を持つ監視要素として、 “払出異常（課金があって払い出すべき払出し無し）”、“課金異常（課金無くして払出し有り）”、“動作異常（課金又は払出しが異常値）”、“景品の払出数が規定値以下に変化”の順で優先的に選択指定した例を示している。
【００７３】
以下、各監視要素と、各監視要素に対応する監視条件と、各監視要素に応じた指示について、例示して具体的に説明する。以下、各監視要素に応じた指示として、出力先として店舗用移動端末２、業務用構内電話２ａ及びディスプレイ３ｃに対し自動生成するメッセージを代表して説明するが、出力先としてブザーで構成する報知器２ｂに対してはブザー音の可変発音（音量、間欠音等）、出力先として報知ランプで構成する報知器２ｂに対しては報知ランプの可変点灯（点滅・色調）により、各監視要素を店舗従業員（スタッフ）が識別できる態様とするのが好適である。
【００７４】
監視要素である“景品の払出数が規定値以下に変化”では、課金・払出変化監視部６１が、指定の遊技機１００‐Ｎにおける景品の配置数に対しその景品の払出数が規定値以下に変化したかを監視する機能を実行するよう設定する。その監視条件として、遊技機１００‐ＮのＩＤ番号による指定（図示する例ではＩＤ番号１から１００までを示す“１−１００”）、景品の配置数（図示する例では “５０”個）、及び景品残数の下限値（図示する例では “３”個）を設定できる。そして、課金・払出変化監視部６１が自動生成するメッセージ例は『ゲーム機番号○○の景品が残り３（可変）個になりました補充をお願いします。８時間１６分９００円』とすることができる。
【００７５】
監視要素である“景品の払出率が規定値以下に変化”では、課金・払出変化監視部６１が、指定の遊技機１００‐Ｎにおける景品の配置数に対しその景品の払出率が規定値以下に変化したかを監視する機能を実行するよう設定する。その監視条件として、遊技機１００‐ＮのＩＤ番号による指定、景品の配置数、及び払出率の下限値を設定できる。そして、課金・払出変化監視部６１が自動生成するメッセージ例は『ゲーム機番号○○の景品の払出率が規定値の〇％以下になりました補充をお願いします。１０時間０５分〇％』とすることができる。
【００７６】
監視要素である“景品の払出し間（景品払出しから景品払出しまで）の時間、投入金額、及び景品数が変化”では、課金・払出変化監視部６１が、指定の遊技機１００‐Ｎにおける景品の払出し間（景品払出しから景品払出しまで）の時間、投入金額、及び景品数が変化したかを監視する機能を実行するよう設定する。その監視条件として、遊技機１００‐ＮのＩＤ番号による指定を設定できる。そして、課金・払出変化監視部６１が自動生成するメッセージ例は『ゲーム機番号○○の景品が払い出されました。１６時間５６分１２００円』とすることができる。
【００７７】
監視要素である“規定時間内に課金が規定金額以上に変化”では、課金・払出変化監視部６１が、指定の遊技機１００‐Ｎにおける景品の払出しは発生せず、規定時間内に規定金額以上課金が有ったかを監視する機能を実行するよう設定する。その監視条件として、遊技機１００‐ＮのＩＤ番号による指定、規定時間、及び規定課金額を設定できる。そして、課金・払出変化監視部６１が自動生成するメッセージ例は『ゲーム機番号○○で、３０（可変）分で２０００（可変）円以上の課金が有りました。接客をお願いします。』とすることができる。
【００７８】
監視要素である“規定課金以上で景品を再配置する遊技機の課金に変化”では、課金・払出変化監視部６１が、指定の遊技機１００‐Ｎにて規定課金以上で景品を再配置する遊技機の課金に変化したかを監視する機能を実行するよう設定する。その監視条件として、遊技機１００‐ＮのＩＤ番号による指定、規定時間、及び規定課金額を設定できる。そして、課金・払出変化監視部６１が自動生成するメッセージ例は『ゲーム機番号○○で、３００（可変）円課金が発生しました。景品の再配置をお願いします。』とすることができる。
【００７９】
監視要素である“規定時間以上、景品の払出し無し”では、課金・払出変化監視部６１が、指定の遊技機１００‐Ｎにて規定時間以上、景品の払出し無しであるかを監視する機能を実行するよう設定する。その監視条件として、遊技機１００‐ＮのＩＤ番号による指定、及び景品払出し間の規定時間（前回景品払出しから景品払出しまでの時間）を設定できる。そして、課金・払出変化監視部６１が自動生成するメッセージ例は『ゲーム機番号○○で、１００（可変）時間景品の払出しが発生しておりません、課金は２００円です。確認をお願いします。』とすることができる。
【００８０】
監視要素である“規定時間内に、規定課金額の課金無し”では、課金・払出変化監視部６１が、指定の遊技機１００‐Ｎにて規定時間内に、規定金額の課金が発生しなかったかを監視する機能を実行するよう設定する。その監視条件として、遊技機１００‐ＮのＩＤ番号による指定、規定時間、及び規定課金額を設定できる。そして、課金・払出変化監視部６１が自動生成するメッセージ例は『ゲーム機番号○○で、１００（可変）時間で課金が１００円です。確認をお願いします。』とすることができる。
【００８１】
監視要素である“規定時刻における景品の払出数、売上金額、及び直近の課金時刻（スタッフ呼び出しボタン機能）”では、課金・払出変化監視部６１が、指定の遊技機１００‐Ｎについて規定時刻における景品の払出数、売上金額、及び直近の課金時刻を指定の出力先に通知するよう設定し、スタッフ呼び出しボタン機能として機能させる。その監視条件として、遊技機１００‐ＮのＩＤ番号による指定、及び規定時刻を設定できる。そして、課金・払出変化監視部６１が自動生成するメッセージ例は『ゲーム機番号○○で、時刻２０時における景品払出し数４個、売上金額５６００円、直近の課金時刻が１０時３５分です。接客をお願いします。』とすることができる。
【００８２】
監視要素である“特定時間毎の売上金額と達成率”では、課金・払出変化監視部６１が、管理下にある全ての遊技機１００‐Ｎを対象として、特定時間毎の売上金額と達成率を指定の出力先に通知するよう設定する。その監視条件として、一日の予算（予算設定がされていなければ達成率は通知しない）、通知開始時刻と通知終了時刻、及び通知間隔を設定できる。そして、課金・払出変化監視部６１が自動生成するメッセージ例は『売上金額と達成率を特定時間ごとに（管理し指定の携帯端末に自動）発信１６時現在、２３５４００円、４６％』とすることができる。
【００８３】
監視要素である“課金異常（課金無くして払出し有り）”では、課金・払出変化監視部６１が、管理下にある全ての遊技機１００‐Ｎを対象として、課金異常（課金無くして払出し有り）があった旨を指定の出力先に通知するよう設定する。そして、課金・払出変化監視部６１が自動生成するメッセージ例は『ゲーム機番号○○で、課金異常がありました。確認をお願いします。』とすることができる。
【００８４】
監視要素である“払出異常（課金があって払い出すべき払出し無し）”では、課金・払出変化監視部６１が、管理下にある全ての遊技機１００‐Ｎを対象として、払出異常（課金があって払い出すべき払出し無し）があった旨を指定の出力先に通知するよう設定する。そして、課金・払出変化監視部６１が自動生成するメッセージ例は『ゲーム機番号○○で、払出異常がありました。確認をお願いします。』とすることができる。
【００８５】
監視要素である“動作異常（課金又は払出しが異常値）”では、課金・払出変化監視部６１が、管理下にある全ての遊技機１００‐Ｎを対象として、動作異常（課金又は払出しが異常値）があった旨を指定の出力先に通知するよう設定する。そして、課金・払出変化監視部６１が自動生成するメッセージ例は『ゲーム機番号○○で、動作異常がありました。確認をお願いします。』とすることができる。
【００８６】
以上のような設定に基づいて、データ収集装置５における課金・払出変化監視部６１は、管理下にある遊技機１００‐Ｎにて課金又は払出しの変化に関する予め指定された監視要素が成立した際に、外部出力制御部６２を機能させ、該監視要素に対応する指示を自動生成し、予め指定される出力先に自動発信する。
【００８７】
（データ収集システムの動作例）
次に、このように構成される本実施形態のデータ収集システム１０の一動作例について説明する。図４は、本実施形態のデータ収集システム１０の動作例を示すフローチャートである。尚、図４に示すステップＳ１乃至Ｓ１１の動作例は、特許文献２に開示される動作と同様であり、ステップＳ２０は、課金・払出変化監視部６１及び外部出力制御部６２を備えるデータ収集装置５の動作を示している。
【００８８】
遊技機１００‐Ｎに設置されているデータ集計装置１は、遊技機１００‐Ｎにおける売上情報及び払出情報に変化が有るたびに自動的に集計しデータ集計装置１内で記録する（ステップＳ１）。
【００８９】
データ集計装置１は、遊戯機に対し物理的な接続が維持されているか否かを監視し（ステップＳ２）、この接続の解除を検知した場合には（ステップＳ２：Ｙｅｓ）、その日時（日付だけでもよい）の情報を接続解除情報としてデータ集計装置１内で記録する（ステップＳ３）。このとき、当該接続の解除を検知した場合には（ステップＳ２：Ｙｅｓ）、直ちに、中継機３又は店舗用移動端末２、或いはデータ収集装置５へその接続解除情報を通知する。接続の解除を検知しない場合には（ステップＳ２：Ｎｏ）、ステップＳ１へ移行する。
【００９０】
一方、データ収集装置５は、例えば中継機３経由のマルチホップ通信を経て、全てのデータ集計装置１、或いは指定するデータ集計装置１に対し、集計データ収集要求を発行する（ステップＳ４）。
【００９１】
集計データ収集要求を中継伝送する中継機３は、その通信日時（日付のみでもよい）の履歴を中継機３内で記録するとともに、ＳＤカードなどの外部メディアに記録する（ステップＳ５）。
【００９２】
また、当該集計データ収集要求を受け付けたデータ集計装置１は、データ集計装置１内で記録している集計データ（集計した売上情報及び払出情報）を読み出し、当該通信確立している中継機３経由でデータ収集装置５へ返信する（ステップＳ６）。
【００９３】
集計データ収集要求を中継伝送する中継機３は、中継伝送する集計データ（集計した売上情報及び払出情報）を中継機３内で記録するとともに、ＳＤカードなどの外部メディアに記録する（ステップＳ７）。
【００９４】
集計データ（集計した売上情報及び払出情報）を取得したデータ収集装置５は、集計データ収集部５５により収集し、データ収集装置５内で記録するとともに、外部メディア記録部５８を機能させてＳＤカードなどの外部メディアに記録する（ステップＳ８）。
【００９５】
一方、店舗用移動端末２は、例えばネットワーク７経由の回線網通信を経て、データ収集装置５に対し、収集データ取得要求を行う収集データ取得処理を実行する。この収集データ取得処理は、店舗用移動端末２に設けられる専用アプリケーションで実行され、操作者の操作により、或いは定期的な自動制御により実行される（ステップＳ９）。尚、この専用アプリケーションの実行による収集データ取得処理は、認証・検証を含む。また、この収集データ取得要求は、収集した全てのデータ集計装置１に対する集計データでもよいし、指定するデータ集計装置１に対する集計データでもよいように選択できるよう構成するのが便利である。このとき、データ収集装置５は、当該店舗用移動端末２からの収集データ取得要求を受け付け、対応する集計データを当該店舗用移動端末２へ返信する。
【００９６】
一方、店舗用移動端末２は、例えば直接的な通信で、或いは中継機３経由のマルチホップ通信を経て、特定のデータ集計装置１に対し、集計データ取得要求を行う集計データ取得処理を実行する。この集計データ取得処理は、店舗用移動端末２に設けられる専用アプリケーションで実行され、操作者の操作により、或いは定期的な自動制御により実行される（ステップＳ１０）。尚、この専用アプリケーションの実行による集計データ取得処理は、認証・検証を含む。このとき、データ集計装置１は、当該店舗用移動端末２からの集計データ取得要求を受け付け、集計データ（集計した売上情報及び払出情報）を当該店舗用移動端末２へ返信する（ステップＳ１１）。
【００９７】
尚、データ収集装置５は、サービス設定部５６により、例えば中継機３経由のマルチホップ通信を経て、指定するデータ集計装置１に対し、上述したサービス情報の設定に関するサービス設定処理を実行する。そして、サービス設定の旨を受け付けたデータ集計装置１は、サービス告知処理の実行し、当該サービス情報の受け付けを許容するユーザ用移動端末４に告知する。ユーザ用移動端末４は、当該サービス情報の受け付けを許容する専用アプリケーションで実行され、この専用アプリケーションの実行時に認証・検証が実行される。
【００９８】
そして、データ収集装置５は、課金・払出変化監視部６１により、管理下にある遊技機１００‐Ｎにて課金又は払出しの変化に関する予め指定された監視要素が成立した際に、外部出力制御部６２を機能させ、該監視要素に対応する指示を自動生成し、予め指定される出力先に自動発信することにより、課金・払出変化の監視処理及び出力制御を実行する（ステップＳ２０）。
【００９９】
以上のように、本実施形態のデータ集計システム１０では、データ集計装置１について本体ユニットと通信ユニットとに分けて構成し、当該本体ユニットは遊技機の筐体内に設置して該遊戯機における売上情報及び払出情報を集計し、当該通信ユニットは遊技機の筐体外に設置して当該本体ユニットに対し電気的に接続し、当該集計した売上情報及び払出情報を店舗内の複数の中継機３により複数の通信路を構成するマルチホップ通信を経てデータ収集装置５と通信し、データ収集装置５が各遊技機の売上情報及び払出情報を収集するよう構成されている。
【０１００】
そして、データ収集装置５は、課金・払出変化監視部６１により、管理下にある遊技機１００‐Ｎにて課金又は払出しの変化に関する予め指定された監視要素が成立した際に、外部出力制御部６２を機能させ、該監視要素に対応する指示を自動生成し、予め指定される出力先に自動発信する。本実施形態における出力先として、ディスプレイ５ｃ、業務用構内電話５ａ経由の業務用構内電話２ａ、及び報知器制御装置５ｂ経由の報知器２ｂのいずれかの外部機器と、店舗用移動端末２を含めることができ、課金・払出変化監視部６１における各監視要素、出力先の指定、各監視要素の優先順位や監視スケジュール、及び各監視要素の監視条件等の設定は、課金・払出変化監視用設定ＵＩ ５００を介して、データ収集装置５の利用者（管理者）によって設定される。
【０１０１】
このように、本実施形態のデータ収集装置５は、店舗内に設置された遊技機毎に、コイン（硬貨）やメダル等の投入に基づく売上情報及び当該コインやメダル、或いは景品等の払出しに基づく払出情報を収集する際に、予め指定された監視要素に基づいて指定する出力先に対しリアルタイムに自動発信できるので、よりサービス性を向上させ、或いはセキュリティ性能を向上させることができる。
【０１０２】
以上、特定の実施形態の例を挙げて本発明を説明したが、本発明は前述の実施形態の例に限定されるものではなく、その技術思想を逸脱しない範囲で種々変形可能である。例えば、本発明に係るデータ収集システム１０において、１台の遊技機１００‐Ｎに複数のデータ集計装置１を設けることや、複数のデータ収集装置５を設けてもよい。
【産業上の利用可能性】
【０１０３】
本発明によれば、店舗内に設置された遊技機毎に、コイン（硬貨）やメダル等の投入に基づく売上情報及び当該コインやメダル、或いは景品等の払出しに基づく払出情報を収集するデータ収集装置、及び、そのデータ収集システムにおいて、よりサービス性を向上させ、或いはセキュリティ性能を向上させることができるので、遊技機のデータ集計を要する用途に有用である。
【符号の説明】
【０１０４】
１  データ集計装置
２  店舗用移動端末
２ａ  業務用構内電話
２ｂ  報知器
３  中継機
４  ユーザ用移動端末
５  データ収集装置
５ａ  業務用構内電話
５ｂ  報知器制御装置
５ｃ  ディスプレイ
７  ネットワーク
１０  データ収集システム
５１  中央制御部
５２  通信制御部
５３  回線網通信部
５４  近距離通信部
５５  集計データ収集部
５６  サービス設定部
５７  記憶部
５８  外部メディア記録部
５９  外部供給電源
６０  電池式電源
６１  課金・払出変化監視部
６２  外部出力制御部
１００‐１，１００‐２，１００‐Ｎ  遊技機
【図１】
2019122445.tif 000003
【図２】
2019122445.tif 000004
【図３】
2019122445.tif 000005
【図４】
2019122445.tif 000006
【手続補正書】
【提出日】平成31年1月19日(2019.1.19)
【手続補正１】
【補正対象書類名】特許請求の範囲
【補正対象項目名】全文
【補正方法】変更
【補正の内容】
【特許請求の範囲】
【請求項１】
遊戯機の筐体内に設置して該遊戯機における売上情報及び払出情報を集計する本体ユニット、及び該遊戯機の筐体外に設置して前記本体ユニットに対し電気的に接続し当該集計した売上情報及び払出情報を外部に通信出力する通信ユニットを備えるデータ集計装置から、複数の中継機により複数の通信路を構成するマルチホップ通信を経て、各遊戯機の売上情報及び払出情報を収集するデータ収集装置であって、
管理下にある指定の遊戯機における課金又は払出しの変化に関する予め指定された監視要素について監視し、該監視要素が成立した際に該監視要素に対応する指示を自動生成する課金・払出変化監視手段と、
前記自動生成した当該監視要素に対応する指示を予め指定される出力先に自動発信する外部出力制御手段と、を備え、
前記課金・払出変化監視手段は、
管理下にある全ての遊戯機について、
時刻及び曜日を含む管理スケジュールについて指定して設定可能にする管理スケジュール設定と、前記マルチホップ通信を経て通信接続される店舗従業員が持つ店舗用移動端末、店舗従業員が持つ業務用構内電話、店舗内に設置される報知器、及び当該データ収集装置に付随して設置されるディスプレイのうち、いずれか１つ以上を指定して設定可能とする出力先設定と、複数の当該監視要素について優先順位を指定して各監視要素の監視条件を選択的に設定可能にする監視要素選択設定と、を監視要素ごとに区分けして一覧表示する課金・払出変化監視用設定ユーザーインターフェースを前記ディスプレイに提示する手段を有することを特徴とするデータ収集装置。
【請求項２】
前記課金・払出変化監視手段は、時刻及び曜日を含む管理スケジュールについて指定して設定可能に構成されていることを特徴とする、請求項１に記載のデータ収集装置。
【請求項３】
前記課金・払出変化監視手段は、複数の当該監視要素について優先順位を指定して選択的に設定可能に構成されていることを特徴とする、請求項１又は２に記載のデータ収集装置。
【請求項４】
前記出力先は、前記マルチホップ通信を経て通信接続される店舗従業員が持つ店舗用移動端末、店舗従業員が持つ業務用構内電話、店舗内に設置される報知器、及び当該データ収集装置に付随して設置されるディスプレイのうち、いずれか１つ以上を指定して設定可能に構成されていることを特徴とする、請求項１から３のいずれか一項に記載のデータ収集装置。
【請求項５】
前記外部出力制御手段は、前記出力先として指定されるブザーで構成する前記報知器に対してブザー音の可変発音により前記自動生成した当該監視要素に対応する指示を区別して出力するよう制御し、前記出力先として指定される報知ランプで構成する前記報知器に対して当該報知ランプの可変点灯により前記自動生成した当該監視要素に対応する指示を区別して出力するよう制御し、前記出力先として指定される前記店舗用移動端末、前記業務用構内電話、又は前記ディスプレイに対し当該監視要素に対応するメッセージを区別して出力するよう制御することを特徴とする、請求項４に記載のデータ収集装置。
【請求項６】
前記課金・払出変化監視手段は、前記監視要素として指定の遊戯機における景品の配置数に対しその景品の払出数が規定値以下に変化したかを監視する機能を有することを特徴とする、請求項１から５のいずれか一項に記載のデータ収集装置。
【請求項７】
前記課金・払出変化監視手段は、前記監視要素として指定の遊戯機における景品の配置数に対しその景品の払出率が規定値以下に変化したかを監視する機能を有することを特徴とする、請求項１から６のいずれか一項に記載のデータ収集装置。
【請求項８】
前記課金・払出変化監視手段は、前記監視要素として指定の遊戯機における景品の払出し間の時間、投入金額、及び景品数が変化したかを監視する機能を有することを特徴とする、請求項１から７のいずれか一項に記載のデータ収集装置。
【請求項９】
前記課金・払出変化監視手段は、前記監視要素として指定の遊戯機における景品の払出しは発生せず、規定時間内に規定金額以上課金が有ったかを監視する機能を有することを特徴とする、請求項１から８のいずれか一項に記載のデータ収集装置。
【請求項１０】
前記課金・払出変化監視手段は、前記監視要素として指定の遊戯機にて規定課金以上で景品を再配置する遊戯機の課金に変化したかを監視する機能を有することを特徴とする、請求項１から９のいずれか一項に記載のデータ収集装置。
【請求項１１】
前記課金・払出変化監視手段は、前記監視要素として指定の遊戯機にて規定時間以上、景品の払出し無しであるかを監視する機能を有することを特徴とする、請求項１から１０のいずれか一項に記載のデータ収集装置。
【請求項１２】
前記課金・払出変化監視手段は、前記監視要素として指定の遊戯機にて規定時間内に、規定金額の課金が発生しなかったかを監視する機能を有することを特徴とする、請求項１から１１のいずれか一項に記載のデータ収集装置。
【請求項１３】
前記課金・払出変化監視手段は、前記監視要素として指定の遊戯機について規定時刻における景品の払出数、売上金額、及び直近の課金時刻を予め指定される出力先に通知する機能を有することを特徴とする、請求項１から１２のいずれか一項に記載のデータ収集装置。
【請求項１４】
前記課金・払出変化監視手段は、前記監視要素として管理下にある全ての遊戯機を対象とし特定時間毎の売上金額と達成率を予め指定される出力先に通知する機能を有することを特徴とする、請求項１から１３のいずれか一項に記載のデータ収集装置。
【請求項１５】
前記課金・払出変化監視手段は、前記監視要素として管理下にある全ての遊戯機を対象とし課金異常があった旨を予め指定される出力先に通知する機能を有することを特徴とする、請求項１から１４のいずれか一項に記載のデータ収集装置。
【請求項１６】
前記課金・払出変化監視手段は、前記監視要素として管理下にある全ての遊戯機を対象とし払出異常があった旨を予め指定される出力先に通知する機能を有することを特徴とする、請求項１から１５のいずれか一項に記載のデータ収集装置。
【請求項１７】
前記課金・払出変化監視手段は、前記監視要素として管理下にある全ての遊戯機を対象とし動作異常があった旨を予め指定される出力先に通知する機能を有することを特徴とする、請求項１から１６のいずれか一項に記載のデータ収集装置。
【手続補正２】
【補正対象書類名】明細書
【補正対象項目名】全文
【補正方法】変更
【補正の内容】
【発明の詳細な説明】
【技術分野】
【０００１】
本発明は、店舗内に設置された遊戯機毎に、コイン（硬貨）やメダル等の投入に基づく売上情報及び当該コインやメダル、或いは景品等の払出しに基づく払出情報を収集するデータ収集装置に関する。
【背景技術】
【０００２】
一般的に、ゲームセンターや遊園地などのアミューズメント施設には、コイン（硬貨）やメダルを投入してゲームを行う遊戯機が設置されている。そして、このような遊戯機には、当該コインやメダル、或いは景品等の払出しを行うものもある。
【０００３】
このため、このような遊戯機が設けられているアミューズメント施設を運営する運営者は、店舗内に設置された遊戯機毎に、コイン（硬貨）やメダル等の投入に基づく売上情報及び当該コインやメダル、或いは景品等の払出しに基づく払出情報を集計する必要がある。
【０００４】
そこで、既存の遊戯機に関するデータ収集システムでは、コイン（硬貨）やメダルに関する売上情報及び払出情報の収集するために、店舗内の遊戯機毎に、売上情報及び払出情報を集計するデータ集計装置を設けることが行われている。
【０００５】
既存のデータ集計装置では、その筐体部分に通信アンテナを一体的に設けて構成しており、各データ集計装置の売上情報及び払出情報を収集するデータ収集装置は、１対１の通信を行うメッシュ通信方式が取られており、このため電波強度が安定しない等の理由でリアルタイム性に問題があった。
【０００６】
そこで、各遊戯機の売上情報及び払出情報をデータ集計装置で集計し、マルチホップ通信でデータ収集装置へ伝送し、データ収集装置により売上情報及び払出情報を収集する技法が知られている（例えば、特許文献１参照）。
【０００７】
特許文献１の技法では、各遊戯機の売上情報及び払出情報をデータ集計装置で集計し、マルチホップ通信でデータ収集装置へ伝送し、データ収集装置により売上情報及び払出情報を収集するようにしている。
【０００８】
これにより、各遊戯機が当該店舗における様々な箇所に設置され、さらには、メダル貸出機や自動販売機等の障害物が多数存在し、上記障害物によって通信を妨害され、遊戯機毎の遊戯媒体のデータ収集ができない場合でも、その障害物による通信妨害を低減可能としている。
【０００９】
しかしながら、特許文献１の技法におけるデータ集計装置においても、その筐体部分に通信アンテナを一体的に設けて構成するものであり、この技法では、遊戯機の筐体が金属製のものが多く電波が遮蔽されてしまうことから、電波による通信を行うデータ集計装置を遊戯機の筐体内へ設置しようとしても、当該電波が遊戯機の筐体の外部へ出ないか、又は出にくいことがある。このため、特許文献１に開示されるマルチホップ通信でデータ通信を行う技法においても、当該データ集計装置を遊戯機内へ設置するときの設置場所が制限されてしまい、場合によっては設置できないことがある。
【００１０】
そこで、このようなデータ集計装置について、本体ユニットと通信ユニットとに分けて構成し、本体ユニットは遊戯機の筐体内に設置して該遊戯機における売上情報及び払出情報を集計し、通信ユニットは遊戯機の筐体外に設置して当該本体ユニットに対し電気的に接続し、当該集計した売上情報及び払出情報を店舗内の所定の通信機器へ無線通信により送信するようにしたデータ収集システムが開示されている（例えば、特許文献２参照）。
【００１１】
このように、特許文献２におけるデータ集計装置では、その通信ユニットを遊戯機の筐体の外に出すようにしたため、電波遮蔽の回避を抑制でき、データ集計装置とデータ収集装置との通信は、複数の中継機により複数の通信路を構成するマルチホップ通信により実現されるため、電波状態の悪化などにより、一時的に無線通信ができなくなる場合でも、通信経路を確保でき、これによって電波強度が安定し、１台のデータ収集装置と複数台のデータ集計装置との通信におけるリアルタイム性が向上する。例えば、特定の遊戯機の景品払出し時に、店舗用移動端末を持つ店舗従業員に対し景品の払出しがあったことを直ちに知らせることができる。
【００１２】
特に、特許文献２におけるデータ集計装置では、当該本体ユニットに設けられる全ての回路の動作周波数が、通信ユニット１ｂにおける無線通信のための高周波回路の動作周波数より低いものとした。これにより、当該本体ユニットの配線やその接続に用いるコネクタには汎用品を使用することが可能となり、より廉価に構成することが可能としている。
【００１３】
また、特許文献２における技法では、データ集計装置や中継機、或いはデータ収集装置について電池式電源により電源供給できるものとし、電源供給の断絶リスクを低減させることや、データ集計装置における接続状態の自己監視を経て、当該接続の解除を検知した際にデータ収集装置や店舗用移動端末へ無線通信により自動送信する機能を有するものとし、当該リアルタイム性の向上を生かし、セキュリティ性能を向上させたものとなっている。
【先行技術文献】
【特許文献】
【００１４】
【特許文献１】特許第５２０２７４４号公報
【特許文献２】特開２０１７−１９６０２３号公報
【発明の概要】
【発明が解決しようとする課題】
【００１５】
上述したように、特許文献２の技法によれば、データ収集装置は、各遊戯機の売上情報及び払出情報を集計するデータ集計装置から、設置場所が制限されず低廉化が可能となる態様で、安定して電波障害の影響を低減させるマルチホップ通信で売上情報及び払出情報を収集するため、リアルタイム性が向上し、データ集計装置により自己監視に基づいてセキュリティ性能を向上させたものとなっている。
【００１６】
一方で、このようなデータ収集装置による安定性及びリアルタイム性を向上させた売上情報及び払出情報の収集性能を更に生かして、よりサービス性を向上させ、或いはセキュリティ性能を向上させる技法が望まれる。
【００１７】
本発明の目的は、上述の問題に鑑みて、よりサービス性を向上させ、或いはセキュリティ性能を向上させた態様で、店舗内に設置された遊戯機毎に、コイン（硬貨）やメダル等の投入に基づく売上情報及び当該コインやメダル、或いは景品等の払出しに基づく払出情報を収集するデータ収集装置を提供することにある。
【課題を解決するための手段】
【００１８】
本発明のデータ収集装置は、遊戯機の筐体内に設置して該遊戯機における売上情報及び払出情報を集計する本体ユニット、及び該遊戯機の筐体外に設置して前記本体ユニットに対し電気的に接続し当該集計した売上情報及び払出情報を外部に通信出力する通信ユニットを備えるデータ集計装置から、複数の中継機により複数の通信路を構成するマルチホップ通信を経て、各遊戯機の売上情報及び払出情報を収集するデータ収集装置であって、管理下にある指定の遊戯機における課金又は払出しの変化に関する予め指定された監視要素について監視し、該監視要素が成立した際に該監視要素に対応する指示を自動生成する課金・払出変化監視手段と、前記自動生成した当該監視要素に対応する指示を予め指定される出力先に自動発信する外部出力制御手段と、を備え、前記課金・払出変化監視手段は、管理下にある全ての遊戯機について、時刻及び曜日を含む管理スケジュールについて指定して設定可能にする管理スケジュール設定と、前記マルチホップ通信を経て通信接続される店舗従業員が持つ店舗用移動端末、店舗従業員が持つ業務用構内電話、店舗内に設置される報知器、及び当該データ収集装置に付随して設置されるディスプレイのうち、いずれか１つ以上を指定して設定可能とする出力先設定と、複数の当該監視要素について優先順位を指定して各監視要素の監視条件を選択的に設定可能にする監視要素選択設定と、を監視要素ごとに区分けして一覧表示する課金・払出変化監視用設定ユーザーインターフェースを前記ディスプレイに提示する手段を有することを特徴とする。
【００１９】
また、本発明のデータ収集装置において、前記課金・払出変化監視手段は、時刻及び曜日を含む管理スケジュールについて指定して設定可能に構成されていることを特徴とする。
【００２０】
また、本発明のデータ収集装置において、前記課金・払出変化監視手段は、複数の当該監視要素について優先順位を指定して選択的に設定可能に構成されていることを特徴とする。
【００２１】
また、本発明のデータ収集装置において、前記出力先は、前記マルチホップ通信を経て通信接続される店舗従業員が持つ店舗用移動端末、店舗従業員が持つ業務用構内電話、店舗内に設置される報知器、及び当該データ収集装置に付随して設置されるディスプレイのうち、いずれか１つ以上を指定して設定可能に構成されていることを特徴とする。
【００２２】
また、本発明のデータ収集装置において、前記外部出力制御手段は、前記出力先として指定されるブザーで構成する前記報知器に対してブザー音の可変発音により前記自動生成した当該監視要素に対応する指示を区別して出力するよう制御し、前記出力先として指定される報知ランプで構成する前記報知器に対して当該報知ランプの可変点灯により前記自動生成した当該監視要素に対応する指示を区別して出力するよう制御し、前記出力先として指定される前記店舗用移動端末、前記業務用構内電話、又は前記ディスプレイに対し当該監視要素に対応するメッセージを区別して出力するよう制御することを特徴とする。
【００２３】
また、本発明のデータ収集装置において、前記課金・払出変化監視手段は、前記監視要素として指定の遊戯機における景品の配置数に対しその景品の払出数が規定値以下に変化したかを監視する機能を有することを特徴とする。
【００２４】
また、本発明のデータ収集装置において、前記課金・払出変化監視手段は、前記監視要素として指定の遊戯機における景品の配置数に対しその景品の払出率が規定値以下に変化したかを監視する機能を有することを特徴とする。
【００２５】
また、本発明のデータ収集装置において、前記課金・払出変化監視手段は、前記監視要素として指定の遊戯機における景品の払出し間の時間、投入金額、及び景品数が変化したかを監視する機能を有することを特徴とする。
【００２６】
また、本発明のデータ収集装置において、前記課金・払出変化監視手段は、前記監視要素として指定の遊戯機における景品の払出しは発生せず、規定時間内に規定金額以上課金が有ったかを監視する機能を有することを特徴とする。
【００２７】
また、本発明のデータ収集装置において、前記課金・払出変化監視手段は、前記監視要素として指定の遊戯機にて規定課金以上で景品を再配置する遊戯機の課金に変化したかを監視する機能を有することを特徴とする。
【００２８】
また、本発明のデータ収集装置において、前記課金・払出変化監視手段は、前記監視要素として指定の遊戯機にて規定時間以上、景品の払出し無しであるかを監視する機能を有することを特徴とする。
【００２９】
また、本発明のデータ収集装置において、前記課金・払出変化監視手段は、前記監視要素として指定の遊戯機にて規定時間内に、規定金額の課金が発生しなかったかを監視する機能を有することを特徴とする。
【００３０】
また、本発明のデータ収集装置において、前記課金・払出変化監視手段は、前記監視要素として指定の遊戯機について規定時刻における景品の払出数、売上金額、及び直近の課金時刻を予め指定される出力先に通知する機能を有することを特徴とする。
【００３１】
また、本発明のデータ収集装置において、前記課金・払出変化監視手段は、前記監視要素として管理下にある全ての遊戯機を対象とし特定時間毎の売上金額と達成率を予め指定される出力先に通知する機能を有することを特徴とする。
【００３２】
また、本発明のデータ収集装置において、前記課金・払出変化監視手段は、前記監視要素として管理下にある全ての遊戯機を対象とし課金異常があった旨を予め指定される出力先に通知する機能を有することを特徴とする。
【００３３】
また、本発明のデータ収集装置において、前記課金・払出変化監視手段は、前記監視要素として管理下にある全ての遊戯機を対象とし払出異常があった旨を予め指定される出力先に通知する機能を有することを特徴とする。
【００３４】
また、本発明のデータ収集装置において、前記課金・払出変化監視手段は、前記監視要素として管理下にある全ての遊戯機を対象とし動作異常があった旨を予め指定される出力先に通知する機能を有することを特徴とする。
【発明の効果】
【００３５】
本発明によれば、店舗内に設置された遊戯機毎に、コイン（硬貨）やメダル等の投入に基づく売上情報及び当該コインやメダル、或いは景品等の払出しに基づく払出情報を収集する際に、予め指定された監視要素に基づいて指定する出力先に対しリアルタイムに自動発信できるので、よりサービス性を向上させ、或いはセキュリティ性能を向上させることができる。
【図面の簡単な説明】
【００３６】
【図１】本発明による一実施形態のデータ収集システムの概略構成を示す図である。
【図２】本発明による一実施形態のデータ収集システムにおけるデータ収集装置の概略構成を示すブロック図である。
【図３】本発明による一実施形態のデータ収集システムにおけるデータ収集装置のディスプレイに提示される課金・払出変化監視用設定ユーザーインターフェース（ＵＩ）の一例を示す図である。
【図４】本発明による一実施形態のデータ収集システムの動作例を示すフローチャートである。
【発明を実施するための形態】
【００３７】
以下、図面を参照して、本発明による一実施形態のデータ収集装置５、及びデータ収集システム１０について説明する。
【００３８】
（データ収集システム）
図１は、本発明による一実施形態のデータ収集システム１０の概略構成を示す図である。データ収集システム１０は、１台以上の遊戯機１００‐Ｎ（Ｎは１以上の整数）の各々に対し設置されるデータ集計装置１と、１台以上の中継機３と、１台のデータ収集装置５とを備える。図１に示す例では、遊戯機１００‐Ｎが設置される店舗内に、データ集計装置１及び中継機３が配設され、データ収集装置５は店舗外へ設置する例を示しているが、データ収集装置５を当該店舗内へ設置することもできる。また、当該ネットワーク７上で、専用のサーバー（図示せず）を設置し、この専用のサーバーから店舗内又は店舗外に設置されるデータ収集装置５と無線又は有線で通信接続する形態とすることもできる。
【００３９】
データ集計装置１は、１台の遊戯機１００‐Ｎに少なくとも１つ設置され、設置した遊戯機１００‐Ｎにおけるコイン（硬貨）やメダル等の投入に基づく売上情報及び当該コインやメダル、或いは景品等の払出しに基づく払出情報を集計し電波でデータ通信を行う装置である。このようなデータ集計装置１は、既存のゲーム機では、遊戯機１００‐Ｎにおける硬貨やコインの投入口、遊戯機１００‐Ｎの基板、当該払出しを検知するセンサー近傍、或いは遊戯機１００‐Ｎが持つ集計用の電磁カウンタ近傍等に設置可能である。データ集計装置１は、中継機３と無線で相互通信可能であり（図示ａ１の通信経路）、更には店舗従業員が管理するスマートホンやタブレットなどの店舗用移動端末２と無線で相互通信可能である（図示ｂ４の通信経路）。また、本実施形態におけるデータ集計装置１は、遊戯機１００‐Ｎの遊戯に関するサービス情報を告知するため、利用者が管理するスマートホンやタブレットなどのユーザ用移動端末４と無線で相互通信可能となっている（図示ｃ１の通信経路）。そして、データ集計装置１には、固有ＩＤ番号が割り当てられ、データ収集装置５によって管理することができる。
【００４０】
中継機３は、データ集計装置１が集計した当該売上情報及び払出情報をデータ収集装置５や店舗用移動端末２へ転送するための装置である。中継機３は、複数台の中継機３が設置されるとは、それぞれ他の中継機３とマルチホップ通信可能に構成される（図示ａ２の通信経路）。また、中継機３は、当該売上情報及び払出情報をデータ収集装置５へ伝送するために、データ収集装置５が店舗内にあるときなどでは、直接的にデータ収集装置５と無線で相互通信可能となっており（図示ａ３の通信経路）、或いは、電話網（携帯電話網を含む）などのネットワーク７を経て、間接的にデータ収集装置５と無線で相互通信可能となっている（図示ｂ１，ｂ２の通信経路）。また、中継機３は、当該売上情報及び払出情報を店舗用移動端末２へ伝送する場合にも、直接的に又は間接的に、店舗用移動端末２と無線で相互通信可能となっている（図示ａ４，或いはｂ２，ｂ３の通信経路）。
【００４１】
データ収集装置５は、遊戯機毎にデータ集計装置１によって集計した売上情報及び払出情報を収集する装置である。データ収集装置５は、図１に示す例では店舗外へ設置する例を示しているが、データ収集装置５を当該店舗内へ設置することもできる。データ収集装置５は、上述したように、直接的に又は間接的に、中継機３と無線で相互通信可能となっており、更には、ネットワーク７を経て、店舗用移動端末２と有線又は無線で相互通信可能となっている（図示ｂ１，ｂ３の通信経路）。そして、データ集計装置１には固有ＩＤ番号が割り当てられているため、データ収集装置５は、遊戯機１００‐Ｎに設置されているデータ集計装置１を識別して、遊戯機毎の売上情報及び払出情報の集計データを収集し、管理することができる。
【００４２】
このように、本実施形態のデータ収集システム１０は、１台以上の遊戯機１００‐Ｎの各々に対し設置されるデータ集計装置１により集計した各遊戯機１００‐Ｎの売上情報及び払出情報を、マルチホップ通信機能を有する中継機３を経て、データ収集装置５により集計するとともに、各データ集計装置１が集計した売上情報及び払出情報を店舗用移動端末２により受信可能とし、より好適にはデータ収集装置５の制御下で、各データ集計装置１が所定のサービス情報をユーザ用移動端末４へ告知可能となっている。
【００４３】
以下、より具体的に、データ集計装置１、中継機３、及びデータ収集装置５の構成について順に説明する。
【００４４】
データ集計装置１は、特許文献２に開示されるものと同様に構成され、その詳細な説明は割愛するが、本体ユニットと通信ユニットとに分けて構成し、本体ユニットは遊戯機の筐体内に設置して該遊戯機における売上情報及び払出情報を集計し、通信ユニットは遊戯機の筐体外に設置して当該本体ユニットに対し電気的に接続し、当該集計した売上情報及び払出情報を店舗内の所定の通信機器へ無線通信により送信するようにしている。
【００４５】
また、中継機３についても、許文献２に開示されるものと同様に構成され、その詳細な説明は割愛するが、データ集計装置１とデータ収集装置５との通信は、複数の中継機３により複数の通信路を構成するマルチホップ通信により実現されるため、電波状態の悪化などにより、一時的に無線通信ができなくなる場合でも、通信経路を確保でき、これによって電波強度が安定し、１台のデータ収集装置と複数台のデータ集計装置との通信におけるリアルタイム性が向上するものとなっている。
【００４６】
一方、データ収集装置５は、特許文献２の技法における安定性及びリアルタイム性を向上させた売上情報及び払出情報の収集性能を更に生かして、よりサービス性を向上させ、或いはセキュリティ性能を向上させるために、本実施形態の例では、図１に示すように、業務用構内電話５ａ（一般に、「インカム」と称される。）、報知器制御装置５ｂ、及びディスプレイ５ｃが外部機器として付随して設け、これらを制御する点で、特許文献２の技法とは相違している。
【００４７】
業務用構内電話５ａは、１以上の店舗従業員がそれぞれ持つ業務用構内電話２ａと相互通信接続され、データ収集装置５により（図２を参照して後述する課金・払出変化監視部６１及び外部出力制御部６２の機能により）制御され、データ収集装置５によって予め監視している内容に基づいて、業務用構内電話２ａに対し自動発信するようになっている。
【００４８】
報知器制御装置５ｂは、データ収集装置５により（図２を参照して後述する課金・払出変化監視部６１及び外部出力制御部６２の機能により）制御され、データ収集装置５によって予め監視している内容に基づいて、店舗内の適所に配置される１以上の報知器２ｂに対し自動発信するようになっている。報知器２ｂはブザーや報知用ランプにより構成される。
【００４９】
データ収集装置５は汎用のパーソナルコンピュータを用いて構成することができ、ディスプレイ５ｃは、データ収集装置５による売上情報及び払出情報の収集データを表示するための装置であるが、特に本例では、図２を参照して後述する課金・払出変化監視部６１及び外部出力制御部６２の機能の設定に関し図３に例示する課金・払出変化監視用設定ユーザーインターフェース（ＵＩ）が提示されるものとなっている。
【００５０】
以下、より具体的に、図２及び図３を参照して、データ収集装置５の構成と機能について説明する。
【００５１】
（データ収集装置）
図２は、本発明による一実施形態のデータ収集システム１０におけるデータ収集装置５の概略構成を示すブロック図である。データ収集装置５は、中央制御部５１、通信制御部５２、回線網通信部５３、近距離通信部５４、集計データ収集部５５、サービス設定部５６、記憶部５７、外部メディア記録部５８、外部供給電源５９、電池式電源６０、課金・払出変化監視部６１、及び外部出力制御部６２を備える。ここで、特許文献２の技法と比較して、データ収集装置５は、課金・払出変化監視部６１、及び外部出力制御部６２を更に備える点で相違している。
【００５２】
中央制御部５１は、中央演算処理ユニット（ＣＰＵ）で構成することができ、記憶部５７の所定の格納領域に格納されているプログラムを読み出して実行することで、データ収集装置５における各機能部を機能させる。
【００５３】
通信制御部５２は、中央制御部５１の制御下で、図示しない操作部から操作者の指示を受け付けるか、或いは定期的な自動制御で、回線網通信部５３によりネットワーク７を経て中継機３経由で、或いは近距離通信部５４により中継機３経由で通信を確立し、全てのデータ集計装置１或いは指定するデータ集計装置１に対し、売上情報及び払出情報の集計データに関する集計データ収集要求を発行し、当該データ集計装置１からの応答を待機する。
【００５４】
また、通信制御部５２は、中央制御部５１の制御下で、当該データ集計装置１からの応答を経て、当該集計データ収集要求に対応する売上情報及び払出情報の集計データを取得した際には、当該通信を確立した状態で回線網通信部５３或いは近距離通信部５４を制御して、売上情報及び払出情報の集計データを取得し、集計データ収集部５５を機能させる。集計データ収集部５５は、取得した売上情報及び払出情報の集計データを収集し、所定のフォーマットの収集記録データを生成し、記憶部５７の所定の格納領域へ格納する。
【００５５】
また、通信制御部５２は、中央制御部５１の制御下で、回線網通信部５３によりネットワーク７を経て、或いは近距離通信部５４により直接的に、店舗用移動端末２から収集した売上情報及び払出情報の集計データに関する取得要求を受け付けた際には、集計データ収集部５５を機能させ、記憶部５７からこの取得要求時点で収集されている売上情報及び払出情報の集計データを読み出させ、当該通信を確立した状態で回線網通信部３３或いは近距離通信部５４を制御して、店舗用移動端末２へ返信する。
【００５６】
回線網通信部５３は、図示しないアンテナ又は通信インターフェースを介して回線網通信を行うための変調器や検波器、フィルタや増幅器等の高周波回路で構成され、通信制御部５２によって制御される。
【００５７】
近距離通信部５４は、図示しないアンテナを介して近距離通信を行うための変調器や検波器、フィルタや増幅器等の高周波回路で構成され、通信制御部５２によって制御される。
【００５８】
集計データ収集部５５は、中央制御部５１の制御下で、通信制御部５２の制御により当該集計データ収集要求を経て取得した売上情報及び払出情報の集計データを収集し、所定のフォーマットの収集記録データを生成し、記憶部５７の所定の格納領域へ格納する。また、集計データ収集部５５は、当該収集した売上情報及び払出情報の集計データに関する取得要求に対する返信として、記憶部５７からこの取得要求時点で収集されている売上情報及び払出情報の集計データを読み出し、通信制御部５２の制御により返信する。
【００５９】
サービス設定部５６は、中央制御部５１の制御下で、図示しない操作部から操作者の指示を受け付け、対応するデータ集計装置１に対し、所定のサービス情報を設定するよう指示するサービス設定処理を実行し、通信制御部５２の制御により対応するデータ集計装置１に通知する。
【００６０】
サービス設定部５６は、遊戯機の利用者が管理するスマートホンやタブレットなどのユーザ用移動端末４に対し、データ集計装置１から通知する。従って、このサービス情報は、データ収集装置５によって遊戯機毎に管理及び設定することができ、このようなサービス情報の例として、当該ユーザ用移動端末４に対し、例えば当該遊戯機にて１回分無料の遊戯を提供するなどとすることができる。このようなサービスの提供に際し、サービス告知処理部１８は、中央制御部１１の制御下で、当該ユーザ用移動端末４に対する認証及び検証の処理を実行する。尚、当該ユーザ用移動端末４は、当該サービス情報の受け付けを許容するアプリケーションが実装されているものとする。
【００６１】
外部メディア記録部５８は、中央制御部５１の制御下で、当該通信日時の情報や収集した売上情報及び払出情報の集計データについてＳＤカードなどの外部メディアに記録する。外部メディアは取り出せる構造になっている。これによりデータ収集装置５の故障などに備え、蓄積したデータを他のパーソナルコンピュータなどに移行することが可能となる。
【００６２】
外部供給電源５９は、外部のＡＣ電源を直流源に変換しデータ収集装置５の機能部へ電源供給する。
【００６３】
電池式電源６０は、外部供給電源５９の補助電源として機能し、外部供給電源５９による電源供給が遮断された時に、一定時間電源を供給する。これにより、電池式として、電源供給の断絶リスクを低減することが可能となる。
【００６４】
ところで、図２に示すように、データ収集装置５は、従来技法とは異なり、課金・払出変化監視部６１、及び外部出力制御部６２を更に備えている。
【００６５】
課金・払出変化監視部６１は、よりサービス性を向上させ、或いはセキュリティ性能を向上させるために、管理下にある遊戯機１００‐Ｎにて課金又は払出しの変化に関する予め指定された監視要素が成立した際に、外部出力制御部６２を機能させ、該監視要素に対応する指示を自動生成し、予め指定される出力先に自動発信する機能部である。
【００６６】
外部出力制御部６２は、予め指定される出力先に対し、課金・払出変化監視部６１によって自動生成される指示を自動発信する機能部である。ここで、本実施形態における出力先として、ディスプレイ５ｃ、業務用構内電話５ａ経由の業務用構内電話２ａ、及び報知器制御装置５ｂ経由の報知器２ｂのいずれかの外部機器と、店舗用移動端末２を含めることができる。
【００６７】
課金・払出変化監視部６１における各監視要素、出力先の指定、各監視要素の優先順位や監視スケジュール、及び各監視要素の監視条件等の設定は、ディスプレイ５ｃに提示される図３に例示する課金・払出変化監視用設定ユーザーインターフェース（ＵＩ）５００を介して、データ収集装置５の利用者（管理者）によって設定可能となっている。
【００６８】
（課金・払出変化監視機能と、その設定ＵＩ）
図３は、本発明による一実施形態のデータ収集システム１０におけるデータ収集装置５のディスプレイ５ｃに提示される課金・払出変化監視用設定ＵＩ ５００の一例を示す図である。
【００６９】
図３に例示する課金・払出変化監視用設定ＵＩ ５００は、大別して、監視スケジュール設定５０１、出力先設定５０２、及び監視要素選択設定５０３が可能となっている。
【００７０】
監視スケジュール設定５０１は、課金・払出変化監視部６１が、監視要素選択設定５０３における指定された各監視要素についての監視スケジュールを設定するＵＩであり、“２４時間、常に監視”するか、“時刻指定で監視”するか、“曜日指定で監視”するかをチェックボックス“□”を“レ”でチェックすることで指定できる。また、時刻指定については“□”内に時刻を示す数値を記述することで指定でき、曜日指定については“〇”を“・”でチェックすることで指定できる。図３に示す例では、課金・払出変化監視部６１が、監視要素選択設定５０３における指定された各監視要素について、“１０”時から“１８”時までの“時刻指定で監視”、且つ“月・火・木”の“曜日指定で監視”するよう設定する例を示している。尚、監視スケジュール設定５０１は、カレンダーを提示したタイムスケジュールとした表示形態でもよい。
【００７１】
出力先設定５０２は、課金・払出変化監視部６１が、監視要素選択設定５０３における指定された各監視要素について、その指定された監視要素が成立した際に、外部出力制御部６２を機能させ、該監視要素に対応する指示を自動生成した際に自動発信する出力先を選択的に指定して設定するＵＩである。本実施形態では、店舗用移動端末２、業務用構内電話２ａ、報知器２ｂ、ディスプレイ２ｃのうち１以上の出力先を指定設定できる。また、店舗用移動端末２、業務用構内電話２ａ、及び報知器２ｂの各々については、それぞれに固有に割り当てられたチャンネル（ｃｈ）について、“□”内にチャンネル番号を示す数値を記述することで指定できる。図３に示す例では、ｃｈ“１，２−５、１０”を持つ店舗用移動端末２、ｃｈ“３−８”を持つ業務用構内電話２ａ、及びｃｈ“４，６”を持つ報知器２ｂを出力先として設定した例を示している。
【００７２】
監視要素選択設定５０３は、課金・払出変化監視部６１によって監視する課金又は払出しの変化に関する監視要素について、優先順位を設けて選択的に指定設定するＵＩである。本実施形態では、監視要素ごとに区分けしてＵＩが示され、各監視要素の先頭の“□”内に優先順位番号を示す数値を記述することで選択指定できる。また、各監視要素の内容に応じて、監視条件を設定できる。図３に示す例では、課金・払出変化監視部６１が、優先順位を持つ監視要素として、 “払出異常（課金があって払い出すべき払出し無し）”、“課金異常（課金無くして払出し有り）”、“動作異常（課金又は払出しが異常値）”、“景品の払出数が規定値以下に変化”の順で優先的に選択指定した例を示している。
【００７３】
以下、各監視要素と、各監視要素に対応する監視条件と、各監視要素に応じた指示について、例示して具体的に説明する。以下、各監視要素に応じた指示として、出力先として店舗用移動端末２、業務用構内電話２ａ及びディスプレイ３ｃに対し自動生成するメッセージを代表して説明するが、出力先としてブザーで構成する報知器２ｂに対してはブザー音の可変発音（音量、間欠音等）、出力先として報知ランプで構成する報知器２ｂに対しては報知ランプの可変点灯（点滅・色調）により、各監視要素を店舗従業員（スタッフ）が識別できる態様とするのが好適である。
【００７４】
監視要素である“景品の払出数が規定値以下に変化”では、課金・払出変化監視部６１が、指定の遊戯機１００‐Ｎにおける景品の配置数に対しその景品の払出数が規定値以下に変化したかを監視する機能を実行するよう設定する。その監視条件として、遊戯機１００‐ＮのＩＤ番号による指定（図示する例ではＩＤ番号１から１００までを示す“１−１００”）、景品の配置数（図示する例では “５０”個）、及び景品残数の下限値（図示する例では “３”個）を設定できる。そして、課金・払出変化監視部６１が自動生成するメッセージ例は『ゲーム機番号○○の景品が残り３（可変）個になりました補充をお願いします。８時間１６分９００円』とすることができる。
【００７５】
監視要素である“景品の払出率が規定値以下に変化”では、課金・払出変化監視部６１が、指定の遊戯機１００‐Ｎにおける景品の配置数に対しその景品の払出率が規定値以下に変化したかを監視する機能を実行するよう設定する。その監視条件として、遊戯機１００‐ＮのＩＤ番号による指定、景品の配置数、及び払出率の下限値を設定できる。そして、課金・払出変化監視部６１が自動生成するメッセージ例は『ゲーム機番号○○の景品の払出率が規定値の〇％以下になりました補充をお願いします。１０時間０５分〇％』とすることができる。
【００７６】
監視要素である“景品の払出し間（景品払出しから景品払出しまで）の時間、投入金額、及び景品数が変化”では、課金・払出変化監視部６１が、指定の遊戯機１００‐Ｎにおける景品の払出し間（景品払出しから景品払出しまで）の時間、投入金額、及び景品数が変化したかを監視する機能を実行するよう設定する。その監視条件として、遊戯機１００‐ＮのＩＤ番号による指定を設定できる。そして、課金・払出変化監視部６１が自動生成するメッセージ例は『ゲーム機番号○○の景品が払い出されました。１６時間５６分１２００円』とすることができる。
【００７７】
監視要素である“規定時間内に課金が規定金額以上に変化”では、課金・払出変化監視部６１が、指定の遊戯機１００‐Ｎにおける景品の払出しは発生せず、規定時間内に規定金額以上課金が有ったかを監視する機能を実行するよう設定する。その監視条件として、遊戯機１００‐ＮのＩＤ番号による指定、規定時間、及び規定課金額を設定できる。そして、課金・払出変化監視部６１が自動生成するメッセージ例は『ゲーム機番号○○で、３０（可変）分で２０００（可変）円以上の課金が有りました。接客をお願いします。』とすることができる。
【００７８】
監視要素である“規定課金以上で景品を再配置する遊戯機の課金に変化”では、課金・払出変化監視部６１が、指定の遊戯機１００‐Ｎにて規定課金以上で景品を再配置する遊戯機の課金に変化したかを監視する機能を実行するよう設定する。その監視条件として、遊戯機１００‐ＮのＩＤ番号による指定、規定時間、及び規定課金額を設定できる。そして、課金・払出変化監視部６１が自動生成するメッセージ例は『ゲーム機番号○○で、３００（可変）円課金が発生しました。景品の再配置をお願いします。』とすることができる。
【００７９】
監視要素である“規定時間以上、景品の払出し無し”では、課金・払出変化監視部６１が、指定の遊戯機１００‐Ｎにて規定時間以上、景品の払出し無しであるかを監視する機能を実行するよう設定する。その監視条件として、遊戯機１００‐ＮのＩＤ番号による指定、及び景品払出し間の規定時間（前回景品払出しから景品払出しまでの時間）を設定できる。そして、課金・払出変化監視部６１が自動生成するメッセージ例は『ゲーム機番号○○で、１００（可変）時間景品の払出しが発生しておりません、課金は２００円です。確認をお願いします。』とすることができる。
【００８０】
監視要素である“規定時間内に、規定課金額の課金無し”では、課金・払出変化監視部６１が、指定の遊戯機１００‐Ｎにて規定時間内に、規定金額の課金が発生しなかったかを監視する機能を実行するよう設定する。その監視条件として、遊戯機１００‐ＮのＩＤ番号による指定、規定時間、及び規定課金額を設定できる。そして、課金・払出変化監視部６１が自動生成するメッセージ例は『ゲーム機番号○○で、１００（可変）時間で課金が１００円です。確認をお願いします。』とすることができる。
【００８１】
監視要素である“規定時刻における景品の払出数、売上金額、及び直近の課金時刻（スタッフ呼び出しボタン機能）”では、課金・払出変化監視部６１が、指定の遊戯機１００‐Ｎについて規定時刻における景品の払出数、売上金額、及び直近の課金時刻を指定の出力先に通知するよう設定し、スタッフ呼び出しボタン機能として機能させる。その監視条件として、遊戯機１００‐ＮのＩＤ番号による指定、及び規定時刻を設定できる。そして、課金・払出変化監視部６１が自動生成するメッセージ例は『ゲーム機番号○○で、時刻２０時における景品払出し数４個、売上金額５６００円、直近の課金時刻が１０時３５分です。接客をお願いします。』とすることができる。
【００８２】
監視要素である“特定時間毎の売上金額と達成率”では、課金・払出変化監視部６１が、管理下にある全ての遊戯機１００‐Ｎを対象として、特定時間毎の売上金額と達成率を指定の出力先に通知するよう設定する。その監視条件として、一日の予算（予算設定がされていなければ達成率は通知しない）、通知開始時刻と通知終了時刻、及び通知間隔を設定できる。そして、課金・払出変化監視部６１が自動生成するメッセージ例は『売上金額と達成率を特定時間ごとに（管理し指定の携帯端末に自動）発信１６時現在、２３５４００円、４６％』とすることができる。
【００８３】
監視要素である“課金異常（課金無くして払出し有り）”では、課金・払出変化監視部６１が、管理下にある全ての遊戯機１００‐Ｎを対象として、課金異常（課金無くして払出し有り）があった旨を指定の出力先に通知するよう設定する。そして、課金・払出変化監視部６１が自動生成するメッセージ例は『ゲーム機番号○○で、課金異常がありました。確認をお願いします。』とすることができる。
【００８４】
監視要素である“払出異常（課金があって払い出すべき払出し無し）”では、課金・払出変化監視部６１が、管理下にある全ての遊戯機１００‐Ｎを対象として、払出異常（課金があって払い出すべき払出し無し）があった旨を指定の出力先に通知するよう設定する。そして、課金・払出変化監視部６１が自動生成するメッセージ例は『ゲーム機番号○○で、払出異常がありました。確認をお願いします。』とすることができる。
【００８５】
監視要素である“動作異常（課金又は払出しが異常値）”では、課金・払出変化監視部６１が、管理下にある全ての遊戯機１００‐Ｎを対象として、動作異常（課金又は払出しが異常値）があった旨を指定の出力先に通知するよう設定する。そして、課金・払出変化監視部６１が自動生成するメッセージ例は『ゲーム機番号○○で、動作異常がありました。確認をお願いします。』とすることができる。
【００８６】
以上のような設定に基づいて、データ収集装置５における課金・払出変化監視部６１は、管理下にある遊戯機１００‐Ｎにて課金又は払出しの変化に関する予め指定された監視要素が成立した際に、外部出力制御部６２を機能させ、該監視要素に対応する指示を自動生成し、予め指定される出力先に自動発信する。
【００８７】
（データ収集システムの動作例）
次に、このように構成される本実施形態のデータ収集システム１０の一動作例について説明する。図４は、本実施形態のデータ収集システム１０の動作例を示すフローチャートである。尚、図４に示すステップＳ１乃至Ｓ１１の動作例は、特許文献２に開示される動作と同様であり、ステップＳ２０は、課金・払出変化監視部６１及び外部出力制御部６２を備えるデータ収集装置５の動作を示している。
【００８８】
遊戯機１００‐Ｎに設置されているデータ集計装置１は、遊戯機１００‐Ｎにおける売上情報及び払出情報に変化が有るたびに自動的に集計しデータ集計装置１内で記録する（ステップＳ１）。
【００８９】
データ集計装置１は、遊戯機に対し物理的な接続が維持されているか否かを監視し（ステップＳ２）、この接続の解除を検知した場合には（ステップＳ２：Ｙｅｓ）、その日時（日付だけでもよい）の情報を接続解除情報としてデータ集計装置１内で記録する（ステップＳ３）。このとき、当該接続の解除を検知した場合には（ステップＳ２：Ｙｅｓ）、直ちに、中継機３又は店舗用移動端末２、或いはデータ収集装置５へその接続解除情報を通知する。接続の解除を検知しない場合には（ステップＳ２：Ｎｏ）、ステップＳ１へ移行する。
【００９０】
一方、データ収集装置５は、例えば中継機３経由のマルチホップ通信を経て、全てのデータ集計装置１、或いは指定するデータ集計装置１に対し、集計データ収集要求を発行する（ステップＳ４）。
【００９１】
集計データ収集要求を中継伝送する中継機３は、その通信日時（日付のみでもよい）の履歴を中継機３内で記録するとともに、ＳＤカードなどの外部メディアに記録する（ステップＳ５）。
【００９２】
また、当該集計データ収集要求を受け付けたデータ集計装置１は、データ集計装置１内で記録している集計データ（集計した売上情報及び払出情報）を読み出し、当該通信確立している中継機３経由でデータ収集装置５へ返信する（ステップＳ６）。
【００９３】
集計データ収集要求を中継伝送する中継機３は、中継伝送する集計データ（集計した売上情報及び払出情報）を中継機３内で記録するとともに、ＳＤカードなどの外部メディアに記録する（ステップＳ７）。
【００９４】
集計データ（集計した売上情報及び払出情報）を取得したデータ収集装置５は、集計データ収集部５５により収集し、データ収集装置５内で記録するとともに、外部メディア記録部５８を機能させてＳＤカードなどの外部メディアに記録する（ステップＳ８）。
【００９５】
一方、店舗用移動端末２は、例えばネットワーク７経由の回線網通信を経て、データ収集装置５に対し、収集データ取得要求を行う収集データ取得処理を実行する。この収集データ取得処理は、店舗用移動端末２に設けられる専用アプリケーションで実行され、操作者の操作により、或いは定期的な自動制御により実行される（ステップＳ９）。尚、この専用アプリケーションの実行による収集データ取得処理は、認証・検証を含む。また、この収集データ取得要求は、収集した全てのデータ集計装置１に対する集計データでもよいし、指定するデータ集計装置１に対する集計データでもよいように選択できるよう構成するのが便利である。このとき、データ収集装置５は、当該店舗用移動端末２からの収集データ取得要求を受け付け、対応する集計データを当該店舗用移動端末２へ返信する。
【００９６】
一方、店舗用移動端末２は、例えば直接的な通信で、或いは中継機３経由のマルチホップ通信を経て、特定のデータ集計装置１に対し、集計データ取得要求を行う集計データ取得処理を実行する。この集計データ取得処理は、店舗用移動端末２に設けられる専用アプリケーションで実行され、操作者の操作により、或いは定期的な自動制御により実行される（ステップＳ１０）。尚、この専用アプリケーションの実行による集計データ取得処理は、認証・検証を含む。このとき、データ集計装置１は、当該店舗用移動端末２からの集計データ取得要求を受け付け、集計データ（集計した売上情報及び払出情報）を当該店舗用移動端末２へ返信する（ステップＳ１１）。
【００９７】
尚、データ収集装置５は、サービス設定部５６により、例えば中継機３経由のマルチホップ通信を経て、指定するデータ集計装置１に対し、上述したサービス情報の設定に関するサービス設定処理を実行する。そして、サービス設定の旨を受け付けたデータ集計装置１は、サービス告知処理の実行し、当該サービス情報の受け付けを許容するユーザ用移動端末４に告知する。ユーザ用移動端末４は、当該サービス情報の受け付けを許容する専用アプリケーションで実行され、この専用アプリケーションの実行時に認証・検証が実行される。
【００９８】
そして、データ収集装置５は、課金・払出変化監視部６１により、管理下にある遊戯機１００‐Ｎにて課金又は払出しの変化に関する予め指定された監視要素が成立した際に、外部出力制御部６２を機能させ、該監視要素に対応する指示を自動生成し、予め指定される出力先に自動発信することにより、課金・払出変化の監視処理及び出力制御を実行する（ステップＳ２０）。
【００９９】
以上のように、本実施形態のデータ集計システム１０では、データ集計装置１について本体ユニットと通信ユニットとに分けて構成し、当該本体ユニットは遊戯機の筐体内に設置して該遊戯機における売上情報及び払出情報を集計し、当該通信ユニットは遊戯機の筐体外に設置して当該本体ユニットに対し電気的に接続し、当該集計した売上情報及び払出情報を店舗内の複数の中継機３により複数の通信路を構成するマルチホップ通信を経てデータ収集装置５と通信し、データ収集装置５が各遊戯機の売上情報及び払出情報を収集するよう構成されている。
【０１００】
そして、データ収集装置５は、課金・払出変化監視部６１により、管理下にある遊戯機１００‐Ｎにて課金又は払出しの変化に関する予め指定された監視要素が成立した際に、外部出力制御部６２を機能させ、該監視要素に対応する指示を自動生成し、予め指定される出力先に自動発信する。本実施形態における出力先として、ディスプレイ５ｃ、業務用構内電話５ａ経由の業務用構内電話２ａ、及び報知器制御装置５ｂ経由の報知器２ｂのいずれかの外部機器と、店舗用移動端末２を含めることができ、課金・払出変化監視部６１における各監視要素、出力先の指定、各監視要素の優先順位や監視スケジュール、及び各監視要素の監視条件等の設定は、課金・払出変化監視用設定ＵＩ ５００を介して、データ収集装置５の利用者（管理者）によって設定される。
【０１０１】
このように、本実施形態のデータ収集装置５は、店舗内に設置された遊戯機毎に、コイン（硬貨）やメダル等の投入に基づく売上情報及び当該コインやメダル、或いは景品等の払出しに基づく払出情報を収集する際に、予め指定された監視要素に基づいて指定する出力先に対しリアルタイムに自動発信できるので、よりサービス性を向上させ、或いはセキュリティ性能を向上させることができる。
【０１０２】
以上、特定の実施形態の例を挙げて本発明を説明したが、本発明は前述の実施形態の例に限定されるものではなく、その技術思想を逸脱しない範囲で種々変形可能である。例えば、本発明に係るデータ収集システム１０において、１台の遊戯機１００‐Ｎに複数のデータ集計装置１を設けることや、複数のデータ収集装置５を設けてもよい。
【産業上の利用可能性】
【０１０３】
本発明によれば、店舗内に設置された遊戯機毎に、コイン（硬貨）やメダル等の投入に基づく売上情報及び当該コインやメダル、或いは景品等の払出しに基づく払出情報を収集するデータ収集装置、及び、そのデータ収集システムにおいて、よりサービス性を向上させ、或いはセキュリティ性能を向上させることができるので、遊戯機のデータ集計を要する用途に有用である。
【符号の説明】
【０１０４】
１  データ集計装置
２  店舗用移動端末
２ａ  業務用構内電話
２ｂ  報知器
３  中継機
４  ユーザ用移動端末
５  データ収集装置
５ａ  業務用構内電話
５ｂ  報知器制御装置
５ｃ  ディスプレイ
７  ネットワーク
１０  データ収集システム
５１  中央制御部
５２  通信制御部
５３  回線網通信部
５４  近距離通信部
５５  集計データ収集部
５６  サービス設定部
５７  記憶部
５８  外部メディア記録部
５９  外部供給電源
６０  電池式電源
６１  課金・払出変化監視部
６２  外部出力制御部
１００‐１，１００‐２，１００‐Ｎ  遊戯機
【手続補正３】
【補正対象書類名】図面
【補正対象項目名】図３
【補正方法】変更
【補正の内容】
【図３】
2019122445.tif 000007